(57)【要約】【課題】バラ貨幣の迅速な処理を行うかまたは種類別バラ貨幣収納部に収納されているバラ貨幣の有効活用を図るかについて操作者のニーズに合わせて選択することにより、操作者のニーズ毎に柔軟な運用を行うことができる貨幣処理装置、貨幣処理システムおよび貨幣処理方法を提供する。【解決手段】貨幣処理装置（例えば、紙幣入出金装置１０や硬貨入出金装置１１０）は、ある種類別バラ貨幣収納部におけるバラ貨幣の収納量が所定量に達したときに、当該種類別バラ貨幣収納部に対応する種類のバラ貨幣を混合バラ貨幣収納部に送る第１処理モードおよび当該種類別バラ貨幣収納部からバラ貨幣を包装貨幣作成部に送って当該包装貨幣作成部で包装貨幣を作成する第２処理モードのうちいずれかの処理モードを選択する処理モード選択手段３２０を備えている。【選択図】図１
2017117310.tif 000002
【特許請求の範囲】
【請求項１】
バラ貨幣を筐体の内部に投入するための投入部と、
複数のバラ貨幣から包装貨幣を作成する包装貨幣作成部と、
前記筐体の内部でバラ貨幣を搬送する搬送部と、
前記搬送部から送られたバラ貨幣を種類毎に収納する複数の種類別バラ貨幣収納部と、
前記搬送部から送られた複数の種類のバラ貨幣を混合状態で収納する混合バラ貨幣収納部と、
ある前記種類別バラ貨幣収納部におけるバラ貨幣の収納量が所定量に達したときに、当該種類別バラ貨幣収納部に対応する種類のバラ貨幣を前記混合バラ貨幣収納部に送る第１処理モード、および、ある前記種類別バラ貨幣収納部におけるバラ貨幣の収納量が所定量に達したときに、当該種類別バラ貨幣収納部からバラ貨幣を前記包装貨幣作成部に送って当該包装貨幣作成部で包装貨幣を作成する第２処理モードのうちいずれかの処理モードを選択する処理モード選択手段と、
前記処理モード選択手段により選択された処理モードに基づいて各構成部材を制御する制御部と、
を備えた、貨幣処理装置。
【請求項２】
前記投入部により前記筐体の内部に投入された、前記種類別バラ貨幣収納部または前記混合バラ貨幣収納部に収納される前のバラ貨幣を保留するための一時保留部を更に備え、
前記制御部は、前記一時保留部からバラ貨幣を繰り出して各種類別バラ貨幣収納部に振り分ける際に、ある前記種類別バラ貨幣収納部におけるバラ貨幣の収納量が所定量に達したときに、前記処理モード選択手段により選択された処理モードに基づいて各構成部材を制御する、請求項１記載の貨幣処理装置。
【請求項３】
前記制御部は、前記処理モード選択手段により前記第２処理モードが選択されている場合において、前記種類別バラ貨幣収納部からバラ貨幣を前記包装貨幣作成部に送って当該包装貨幣作成部で包装貨幣を作成することにより、当該種類別バラ貨幣収納部に収納可能なバラ貨幣の量である収納余裕量が、前記一時保留部に保留されている当該種類別バラ貨幣収納部に対応する種類のバラ貨幣の量よりも多くなると、前記種類別バラ貨幣収納部からバラ貨幣を前記包装貨幣作成部に送る動作を停止させ、前記一時保留部からバラ貨幣を繰り出して各種類別バラ貨幣収納部に振り分けるよう各構成部材を制御する、請求項２記載の貨幣処理装置。
【請求項４】
前記搬送部は、前記種類別バラ貨幣収納部から前記包装貨幣作成部にバラ貨幣を送る動作と、前記投入部から前記一時保留部にバラ貨幣を送る動作とを並行して行うことができるような構成となっている、請求項２または３記載の貨幣処理装置。
【請求項５】
操作者が前記制御部に指令を入力するための入力手段を更に備え、
前記処理モード選択手段は、前記入力手段により入力された指令に基づいて前記第１処理モードおよび前記第２処理モードのうちいずれかの処理モードを選択するようになっている、請求項１乃至４のいずれか一項に記載の貨幣処理装置。
【請求項６】
現在の日時に関する情報を取得する日時情報取得部を更に備え、
前記処理モード選択手段は、前記日時情報取得部により取得された現在の日時に関する情報に基づいて前記第１処理モードおよび前記第２処理モードのうちいずれかの処理モードを選択するようになっている、請求項１乃至４のいずれか一項に記載の貨幣処理装置。
【請求項７】
前記筐体の前に次の操作者が存在するか否かを検知する操作者検知手段を更に備え、
前記処理モード選択手段は、前記筐体の前に次の操作者が存在することが前記操作者検知手段により検知されると前記第１処理モードを選択し、前記筐体の前に次の操作者が存在することが前記操作者検知手段により検知されない場合には前記第２処理モードを選択するようになっている、請求項１乃至４のいずれか一項に記載の貨幣処理装置。
【請求項８】
バラ貨幣を筐体の内部に投入するための投入部、複数のバラ貨幣から包装貨幣を作成する包装貨幣作成部、前記筐体の内部でバラ貨幣を搬送する搬送部、前記搬送部から送られたバラ貨幣を種類毎に収納する複数の種類別バラ貨幣収納部、および前記搬送部から送られた複数の種類のバラ貨幣を混合状態で収納する混合バラ貨幣収納部を有する貨幣処理装置と、
前記貨幣処理装置とは別に設けられ、当該貨幣処理装置の管理を行う管理装置と、
を備えた貨幣処理システムであって、
前記貨幣処理装置においてある前記種類別バラ貨幣収納部におけるバラ貨幣の収納量が所定量に達したときに、当該種類別バラ貨幣収納部に対応する種類のバラ貨幣を前記混合バラ貨幣収納部に送る第１処理モード、および、前記貨幣処理装置においてある前記種類別バラ貨幣収納部におけるバラ貨幣の収納量が所定量に達したときに、当該種類別バラ貨幣収納部からバラ貨幣を前記包装貨幣作成部に送って当該包装貨幣作成部で包装貨幣を作成する第２処理モードのうちいずれかの処理モードを選択する処理モード選択手段と、
前記処理モード選択手段により選択された処理モードに基づいて前記貨幣処理装置の各構成部材を制御する制御部と、
を備えた、貨幣処理システム。
【請求項９】
前記処理モード選択手段および前記制御部のうち少なくともいずれか一方は前記管理装置に設けられている、請求項８記載の貨幣処理システム。
【請求項１０】
バラ貨幣を筐体の内部に投入し、前記筐体の内部に投入されたバラ硬貨を複数の種類別バラ貨幣収納部に種類毎に収納する工程と、
ある前記種類別バラ貨幣収納部におけるバラ貨幣の収納量が所定量に達したときに、当該種類別バラ貨幣収納部に対応する種類のバラ貨幣を、複数の種類のバラ貨幣を混合状態で収納する混合バラ貨幣収納部に送る第１処理モード、および、ある前記種類別バラ貨幣収納部におけるバラ貨幣の収納量が所定量に達したときに、当該種類別バラ貨幣収納部からバラ貨幣を、複数のバラ貨幣から包装貨幣を作成する包装貨幣作成部に送って当該包装貨幣作成部で包装貨幣を作成する第２処理モードのうちいずれかの処理モードを選択する工程と、
選択された処理モードに基づいてバラ貨幣を前記筐体の内部で搬送する工程と、
を備えた、貨幣処理方法。
【発明の詳細な説明】
【技術分野】
【０００１】
本発明は、紙幣や硬貨等からなる貨幣の少なくとも入金処理を行う貨幣処理装置、このような貨幣処理装置を備えた貨幣処理システムおよびこのような貨幣処理装置による貨幣処理方法に関する。
【背景技術】
【０００２】
投出入口により筐体の内部に投入されたバラ紙幣を識別部により識別して金種別収納部に金種別に収納したり、指定された金種のバラ紙幣を金種別収納部から繰り出して投出入口により筐体の外部に投出するような紙幣処理装置として、従来から様々なタイプのものが知られている（例えば、特許文献１等参照）。特許文献１に開示される紙幣処理装置では、バラ紙幣の入金処理を行う際に投出入口により筐体の内部に投入されたバラ紙幣は入金一時保留部に一時的に保留され、入金確定の指令が受け付けられた後にこの入金一時保留部から各金種別収納部にバラ紙幣が振り分けられるようになっており、入金一時保留部から繰り出されたバラ紙幣の金種に対応する金種別収納部がニアフル状態となっているときにはこのバラ紙幣はオーバーフロー紙幣として金種混合収納部に送られるようになっている。また、特許文献１に開示される紙幣処理装置では、金種別収納部から繰り出されたバラ紙幣を一時集積部に送り、この一時集積部に集積された所定枚数（例えば、１００枚）のバラ紙幣を帯封部において帯封紙により帯封して帯封紙幣を作成し、作成された帯封紙幣を帯封紙幣収納部に収納したり筐体の外部に投出したりすることができるようになっている。
【先行技術文献】
【特許文献】
【０００３】
【特許文献１】特許第５４７４４６１号
【発明の概要】
【発明が解決しようとする課題】
【０００４】
特許文献１に開示されるような従来の紙幣処理装置では、上述したように、バラ紙幣の入金処理を行う際に投出入口により筐体の内部に投入されたバラ紙幣は入金一時保留部に一時的に保留され、入金一時保留部から繰り出されたバラ紙幣の金種に対応する金種別収納部がニアフル状態となっているときにはこのバラ紙幣はオーバーフロー紙幣として金種混合収納部に送られるようになっているが、この金種混合収納部には、出金処理で用いることができないバラ紙幣（例えば、二千円紙幣や損券等）も収納されるようになっているため、金種混合収納部に収納されたオーバーフロー紙幣を出金処理で活用することができないという問題がある。また、バラ紙幣の入金処理を行う際にある金種別収納部がニアフル状態となったときに、入金一時保留部からバラ紙幣を繰り出して各金種別収納部に振り分ける動作を中断し、ニアフル状態となった金種別収納部からバラ紙幣を一時集積部に送って帯封部により帯封紙幣を作成する方法も考えられるが、このような方法はバラ紙幣の入金処理が完了するまでの時間が長くなってしまうため、バラ紙幣の入金処理を迅速に行わなければならないときにはこのような処理方法は適切ではない。
【０００５】
本発明は、このような点を考慮してなされたものであり、バラ貨幣の迅速な処理を行うかまたは種類別バラ貨幣収納部に収納されているバラ貨幣の有効活用を図るかについて操作者のニーズに合わせて選択することにより、操作者のニーズ毎に柔軟な運用を行うことができる貨幣処理装置、貨幣処理システムおよび貨幣処理方法を提供することを目的とする。
【課題を解決するための手段】
【０００６】
本発明の貨幣処理装置は、バラ貨幣を筐体の内部に投入するための投入部と、複数のバラ貨幣から包装貨幣を作成する包装貨幣作成部と、前記筐体の内部でバラ貨幣を搬送する搬送部と、前記搬送部から送られたバラ貨幣を種類毎に収納する複数の種類別バラ貨幣収納部と、前記搬送部から送られた複数の種類のバラ貨幣を混合状態で収納する混合バラ貨幣収納部と、ある前記種類別バラ貨幣収納部におけるバラ貨幣の収納量が所定量に達したときに、当該種類別バラ貨幣収納部に対応する種類のバラ貨幣を前記混合バラ貨幣収納部に送る第１処理モード、および、ある前記種類別バラ貨幣収納部におけるバラ貨幣の収納量が所定量に達したときに、当該種類別バラ貨幣収納部からバラ貨幣を前記包装貨幣作成部に送って当該包装貨幣作成部で包装貨幣を作成する第２処理モードのうちいずれかの処理モードを選択する処理モード選択手段と、前記処理モード選択手段により選択された処理モードに基づいて各構成部材を制御する制御部と、を備えたことを特徴とする。
【０００７】
このような貨幣処理装置によれば、バラ貨幣の迅速な処理を行いたい場合には処理モード選択手段により第１処理モードを選択し、種類別バラ貨幣収納部に収納されているバラ貨幣の有効活用を図りたい場合には処理モード選択手段により第２処理モードを選択することにより、操作者のニーズ毎に柔軟な運用を行うことができる。
【０００８】
本発明の貨幣処理装置は、前記投入部により前記筐体の内部に投入された、前記種類別バラ貨幣収納部または前記混合バラ貨幣収納部に収納される前のバラ貨幣を保留するための一時保留部を更に備え、前記制御部は、前記一時保留部からバラ貨幣を繰り出して各種類別バラ貨幣収納部に振り分ける際に、ある前記種類別バラ貨幣収納部におけるバラ貨幣の収納量が所定量に達したときに、前記処理モード選択手段により選択された処理モードに基づいて各構成部材を制御するようになっていてもよい。
【０００９】
この際に、前記制御部は、前記処理モード選択手段により前記第２処理モードが選択されている場合において、前記種類別バラ貨幣収納部からバラ貨幣を前記包装貨幣作成部に送って当該包装貨幣作成部で包装貨幣を作成することにより、当該種類別バラ貨幣収納部に収納可能なバラ貨幣の量である収納余裕量が、前記一時保留部に保留されている当該種類別バラ貨幣収納部に対応する種類のバラ貨幣の量よりも多くなると、前記種類別バラ貨幣収納部からバラ貨幣を前記包装貨幣作成部に送る動作を停止させ、前記一時保留部からバラ貨幣を繰り出して各種類別バラ貨幣収納部に振り分けるよう各構成部材を制御するようになっていてもよい。
【００１０】
また、前記搬送部は、前記種類別バラ貨幣収納部から前記包装貨幣作成部にバラ貨幣を送る動作と、前記投入部から前記一時保留部にバラ貨幣を送る動作とを並行して行うことができるような構成となっていてもよい。
【００１１】
本発明の貨幣処理装置は、操作者が前記制御部に指令を入力するための入力手段を更に備え、前記処理モード選択手段は、前記入力手段により入力された指令に基づいて前記第１処理モードおよび前記第２処理モードのうちいずれかの処理モードを選択するようになっていてもよい。
【００１２】
本発明の貨幣処理装置は、現在の日時に関する情報を取得する日時情報取得部を更に備え、前記処理モード選択手段は、前記日時情報取得部により取得された現在の日時に関する情報に基づいて前記第１処理モードおよび前記第２処理モードのうちいずれかの処理モードを選択するようになっていてもよい。
【００１３】
本発明の貨幣処理装置は、前記筐体の前に次の操作者が存在するか否かを検知する操作者検知手段を更に備え、前記処理モード選択手段は、前記筐体の前に次の操作者が存在することが前記操作者検知手段により検知されると前記第１処理モードを選択し、前記筐体の前に次の操作者が存在することが前記操作者検知手段により検知されない場合には前記第２処理モードを選択するようになっていてもよい。
【００１４】
本発明の貨幣処理システムは、バラ貨幣を筐体の内部に投入するための投入部、複数のバラ貨幣から包装貨幣を作成する包装貨幣作成部、前記筐体の内部でバラ貨幣を搬送する搬送部、前記搬送部から送られたバラ貨幣を種類毎に収納する複数の種類別バラ貨幣収納部、および前記搬送部から送られた複数の種類のバラ貨幣を混合状態で収納する混合バラ貨幣収納部を有する貨幣処理装置と、前記貨幣処理装置とは別に設けられ、当該貨幣処理装置の管理を行う管理装置と、を備えた貨幣処理システムであって、前記貨幣処理装置においてある前記種類別バラ貨幣収納部におけるバラ貨幣の収納量が所定量に達したときに、当該種類別バラ貨幣収納部に対応する種類のバラ貨幣を前記混合バラ貨幣収納部に送る第１処理モード、および、前記貨幣処理装置においてある前記種類別バラ貨幣収納部におけるバラ貨幣の収納量が所定量に達したときに、当該種類別バラ貨幣収納部からバラ貨幣を前記包装貨幣作成部に送って当該包装貨幣作成部で包装貨幣を作成する第２処理モードのうちいずれかの処理モードを選択する処理モード選択手段と、前記処理モード選択手段により選択された処理モードに基づいて前記貨幣処理装置の各構成部材を制御する制御部と、を備えたことを特徴とする。
【００１５】
このような貨幣処理システムによれば、貨幣処理装置においてバラ貨幣の迅速な処理を行いたい場合には処理モード選択手段により第１処理モードを選択し、種類別バラ貨幣収納部に収納されているバラ貨幣の有効活用を図りたい場合には処理モード選択手段により第２処理モードを選択することにより、操作者のニーズ毎に柔軟な運用を行うことができる。
【００１６】
本発明の貨幣処理システムにおいては、前記処理モード選択手段および前記制御部のうち少なくともいずれか一方は前記管理装置に設けられていてもよい。
【００１７】
本発明の貨幣処理方法は、バラ貨幣を筐体の内部に投入し、前記筐体の内部に投入されたバラ硬貨を複数の種類別バラ貨幣収納部に種類毎に収納する工程と、ある前記種類別バラ貨幣収納部におけるバラ貨幣の収納量が所定量に達したときに、当該種類別バラ貨幣収納部に対応する種類のバラ貨幣を、複数の種類のバラ貨幣を混合状態で収納する混合バラ貨幣収納部に送る第１処理モード、および、ある前記種類別バラ貨幣収納部におけるバラ貨幣の収納量が所定量に達したときに、当該種類別バラ貨幣収納部からバラ貨幣を、複数のバラ貨幣から包装貨幣を作成する包装貨幣作成部に送って当該包装貨幣作成部で包装貨幣を作成する第２処理モードのうちいずれかの処理モードを選択する工程と、選択された処理モードに基づいてバラ貨幣を前記筐体の内部で搬送する工程と、を備えたことを特徴とする。
【００１８】
このような貨幣処理方法によれば、バラ貨幣の迅速な処理を行いたい場合には処理モード選択手段により第１処理モードを選択し、種類別バラ貨幣収納部に収納されているバラ貨幣の有効活用を図りたい場合には処理モード選択手段により第２処理モードを選択することにより、操作者のニーズ毎に柔軟な運用を行うことができる。
【発明の効果】
【００１９】
本発明の貨幣処理装置、貨幣処理システムおよび貨幣処理方法によれば、バラ貨幣の迅速な処理を行うかまたは種類別バラ貨幣収納部に収納されているバラ貨幣の有効活用を図るかについて操作者のニーズに合わせて選択することにより、操作者のニーズ毎に柔軟な運用を行うことができる。
【図面の簡単な説明】
【００２０】
【図１】本発明の実施の形態による貨幣入出金機の外観を示す斜視図である。
【図２】図１に示す貨幣入出金機における紙幣入出金装置を右側方から見たときの内部構成を概略的に示す概略構成図である。
【図３】図１に示す貨幣入出金機における硬貨入出金装置を正面側から見たときの内部構成を概略的に示す概略構成図である。
【図４】図３に示す硬貨入出金装置を左側方から見たときの内部構成を概略的に示す概略構成図である。
【図５】図３に示す硬貨入出金装置を右側方から見たときの内部構成を概略的に示す概略構成図である。
【図６】図３等に示す硬貨入出金装置における入金繰出部および入金搬送部を上方から見たときの構成を示す構成図である。
【図７】図３等に示す硬貨入出金装置における各構成部材間での硬貨の流れを示す説明図である。
【図８】図１に示す貨幣入出金機における制御系の構成を示す機能ブロック図である。
【図９】図１に示す貨幣入出金機の紙幣入出金装置においてバラ紙幣の入金処理が行われる際の動作を示すフローチャートである。
【図１０】図１に示す貨幣入出金機の紙幣入出金装置においてバラ紙幣の入金処理が行われる際における、第１処理モードが選択されているときに入金一時保留部から各金種別バラ紙幣収納部にバラ紙幣を振り分けるときの動作を示すフローチャートである。
【図１１】図１に示す貨幣入出金機の紙幣入出金装置においてバラ紙幣の入金処理が行われる際における、第２処理モードが選択されているときに入金一時保留部から各金種別バラ紙幣収納部にバラ紙幣を振り分けるときの動作を示すフローチャートである。
【図１２】図１に示す貨幣入出金機の紙幣入出金装置においてバラ紙幣の入金処理が行われる際に操作表示部に表示される画面を示す図である。
【図１３】図１に示す貨幣入出金機の紙幣入出金装置においてバラ紙幣の入金処理が行われる際に操作表示部に表示される画面を示す図である。
【発明を実施するための形態】
【００２１】
以下、図面を参照して本発明の実施の形態について説明する。図１乃至図１３は、本実施の形態による貨幣入出金機を示す図である。このうち、図１は、本実施の形態による貨幣入出金機の外観を示す斜視図であり、図２は、図１に示す貨幣入出金機における紙幣入出金装置の内部構成を概略的に示す概略構成図である。また、図３乃至図５は、それぞれ、図１に示す貨幣入出金機における硬貨入出金装置を正面側、左側方および右側方から見たときの内部構成を概略的に示す概略構成図であり、図６は、図３等に示す硬貨入出金装置における入金繰出部および入金搬送部を上方から見たときの構成を示す構成図である。また、図７は、図３等に示す硬貨入出金装置における各構成部材間での硬貨の流れを示す説明図である。また、図８は、図１に示す貨幣入出金機における制御系の構成を示す機能ブロック図である。また、図９乃至図１１は、それぞれ、図１に示す貨幣入出金機の紙幣入出金装置においてバラ紙幣の入金処理が行われる際の動作を示すフローチャートであり、図１２および図１３は、それぞれ、図１に示す貨幣入出金機の紙幣入出金装置においてバラ紙幣の入金処理が行われる際に操作表示部に表示される画面を示す図である。
【００２２】
図１に示すように、本実施の形態による貨幣入出金機１は、紙幣入出金装置１０および硬貨入出金装置１１０が左右に並ぶよう配置されることにより構成されている。ここで、本実施の形態による貨幣入出金機１における紙幣入出金装置１０は、バラ紙幣の入金処理や出金処理を行うことができるとともに、機体内で所定枚数（例えば、１００枚）のバラ紙幣から帯封紙幣を作成したりこの作成された帯封紙幣の出金処理を行ったりすることができるようになっている。また、本実施の形態による貨幣入出金機１における硬貨入出金装置１１０は、バラ硬貨の入金処理や出金処理を行うことができるとともに、機体内で所定枚数（例えば、５０枚）のバラ硬貨に紙やフィルム等の包装媒体を巻くことにより包装硬貨を作成したりこの作成された包装硬貨の出金処理を行ったりすることができるようになっている。このような貨幣入出金機１は、例えば、銀行等の金融機関（より詳細には、金融機関の事務所スペース）に設置され、金融機関の行員等により利用されるようになっている。
【００２３】
本実施の形態による貨幣入出金機１における紙幣入出金装置１０の構成について図１および図２を用いて説明する。図１および図２に示すように、紙幣入出金装置１０は略直方体形状の筐体１２を有しており、この筐体１２の前面には、筐体１２の外部から内部にバラ紙幣を入金するための投入部１４、筐体１２の内部から外部にバラ紙幣を出金するためのバラ紙幣投出部２４、筐体１２の内部から外部に帯封紙幣を出金するための帯封紙幣投出部４８がそれぞれ設けられている。なお、図２における筐体１２の左側の側面が紙幣入出金装置１０の前面側（すなわち、図１に示すように紙幣入出金装置１０を手前側から見たときの正面側）となっており、図２における右方向が筐体１２の奥行き方向となっている。
【００２４】
図１に示すように、投入部１４の前面は筐体１２の外部に開口しており、操作者はこの開口を介して投入部１４の内部にアクセスする（具体的には、投入部１４の内部に手を入れる）ことができるようになっている。このことにより、操作者は投入部１４の内部にバラ紙幣の束を投入することができるようになる。
【００２５】
一方、バラ紙幣投出部２４および帯封紙幣投出部４８にはそれぞれシャッター２４ａ、４８ａが設けられており、これらのシャッター２４ａ、４８ａは、バラ紙幣投出部２４の前面に面する開口（すなわち、バラ紙幣の出金口）や帯封紙幣投出部４８の前面に面する開口（すなわち、帯封紙幣の出金口）をそれぞれ開閉するようになっている。そして、シャッター２４ａ、４８ａによりバラ紙幣投出部２４や帯封紙幣投出部４８の開口が開かれると、操作者はバラ紙幣投出部２４や帯封紙幣投出部４８の内部にそれぞれアクセスする（具体的には、バラ紙幣投出部２４や帯封紙幣投出部４８の内部に手を入れる）ことができるようになり、当該操作者はバラ紙幣投出部２４や帯封紙幣投出部４８に集積されているバラ紙幣や帯封紙幣を筐体１２の内部から外部に取り出すことができるようになる。これらのシャッター２４ａ、４８ａはシャッター駆動部２４ｂ、４８ｂ（図８参照）によりそれぞれ駆動されるようになっている。
【００２６】
なお、本実施の形態による紙幣入出金装置１０では、バラ紙幣投出部２４は、バラ紙幣の出金処理が行われる際にバラ紙幣を筐体１２の外部に排出するための出金部として機能するとともに、入金処理時に後述する識別部２０により識別することができなかったバラ紙幣や、識別部２０により正常なバラ紙幣ではないと識別されたバラ紙幣を筐体１２の外部に排出するための入金リジェクト部として機能するようになっている。
【００２７】
また、図２に示すように、筐体１２の前面におけるバラ紙幣投出部２４の下方には、紙幣入出金装置１０においてバラ紙幣の出金処理が行われる際にバラ紙幣投出部２４により筐体１２の外部に出金すべきではないと判断されたバラ紙幣が集積される出金リジェクト部２６が設けられている。出金リジェクト部２６の前面は筐体１２の外部に開口しておらず、操作者は筐体１２から紙幣入出金装置１０の本体部分を手前側に引き出さない限りこの出金リジェクト部２６にアクセスすることができないようになっている。
【００２８】
図２に示すように、投入部１４には、当該投入部１４に投入されたバラ紙幣を１枚ずつ筐体１２の内部に繰り出すための繰出部１６が設けられている。また、紙幣入出金装置１０の筐体１２の内部には、当該筐体１２内でバラ紙幣を１枚ずつ搬送する搬送部１８が設けられており、繰出部１６により投入部１４から繰り出されたバラ紙幣は搬送部１８により筐体１２内で搬送されるようになっている。また、搬送部１８には識別部２０が設けられており、搬送部１８により搬送されるバラ紙幣は識別部２０によりその金種、真偽、表裏、正損、新旧、搬送状態等が識別されるようになっている。また、搬送部１８には表裏反転部２２が設けられており、識別部２０により識別されたバラ紙幣は表裏反転部２２によりその表裏が揃うように反転させられるようになっている。
【００２９】
また、図２に示すように、搬送部１８には入金一時保留部３０、混合バラ紙幣収納部３２および複数（図２に示す例では３つ）の金種別バラ紙幣収納部３４がそれぞれ接続されており、搬送部１８からこれらの入金一時保留部３０、混合バラ紙幣収納部３２および各金種別バラ紙幣収納部３４にバラ紙幣が送られるようになっている。ここで、入金一時保留部３０、混合バラ紙幣収納部３２および各金種別バラ紙幣収納部３４にはそれぞれ図２における上下方向に移動可能となっているステージ３０ａ、３２ａ、３４ａが設けられており、これらのステージ３０ａ、３２ａ、３４ａ上でバラ紙幣が積層状態で集積されるようになっている。
【００３０】
また、入金一時保留部３０の上端部の近傍には紙幣繰出繰入部３０ｂが設けられており、当該入金一時保留部３０に一時的に保留されているバラ紙幣は紙幣繰出繰入部３０ｂにより１枚ずつ搬送部１８に繰り出されるようになっている。また、紙幣繰出繰入部３０ｂにより搬送部１８から入金一時保留部３０にバラ紙幣が１枚ずつ繰り入れられるようになっている。ここで、入金一時保留部３０には、バラ紙幣の入金処理において識別部２０により識別されたバラ紙幣が混合バラ紙幣収納部３２や各金種別バラ紙幣収納部３４に収納される前に一時的に保留されるようになっている。
【００３１】
また、混合バラ紙幣収納部３２および各金種別バラ紙幣収納部３４の上端部の近傍にはそれぞれ紙幣繰出繰入部３２ｂ、３４ｂが設けられており、混合バラ紙幣収納部３２や各金種別バラ紙幣収納部３４に収納されているバラ紙幣は紙幣繰出繰入部３２ｂ、３４ｂにより１枚ずつ搬送部１８に繰り出されるようになっている。また、紙幣繰出繰入部３２ｂ、３４ｂにより搬送部１８から混合バラ紙幣収納部３２や各金種別バラ紙幣収納部３４にバラ紙幣が１枚ずつ繰り入れられるようになっている。ここで、各金種別バラ紙幣収納部３４には、それぞれ予め設定された特定の金種のバラ紙幣（例えば、千円紙幣、五千円紙幣および一万円紙幣からなる３つの金種のバラ紙幣）が金種毎に収納されるようになっている。一方、混合バラ紙幣収納部３２には、各金種別バラ紙幣収納部３４に割り当てられていない金種のバラ紙幣（例えば、二千円紙幣）や損券、ならびに後述するオーバーフロー紙幣等が混合状態で収納されるようになっている。
【００３２】
図１および図２に示すように、筐体１２の下部には下部扉１２ａが設けられており、この下部扉１２ａを開くことにより操作者は入金一時保留部３０の内部にアクセスすることができるようになっている。また、入金一時保留部３０、混合バラ紙幣収納部３２および各金種別バラ紙幣収納部３４は、筐体１２の内部から手前側に（すなわち、図２における左方向に）引き出し可能となっている引出ユニット１３に収容されている。そして、操作者が下部扉１２ａを開いて引出ユニット１３を筐体１２の内部から手前側に引き出すことにより、当該操作者は混合バラ紙幣収納部３２や各金種別バラ紙幣収納部３４を引出ユニット１３から取り外したり引出ユニット１３に装着したりすることができるようになる。また、本実施の形態による紙幣入出金装置１０では、引出ユニット１３を筐体１２の内部にロックするためのロック機構５０（図８参照）が引出ユニット１３に設けられている。
【００３３】
また、図２に示すように、搬送部１８には複数（図２に示す例では２つ）の整理一時保留部４０が接続されており、当該搬送部１８から各整理一時保留部４０にバラ紙幣が送られるとこれらの整理一時保留部４０にバラ紙幣が積層状態で集積されるようになっている。また、本実施の形態による紙幣入出金装置１０では、所定枚数（例えば、１００枚）のバラ紙幣からなる紙幣束に帯封紙を巻くことにより帯封紙幣を作成する帯封部４２が各整理一時保留部４０の隣に設けられている。
【００３４】
また、図２に示すように、筐体１２の内部において帯封部４２の近傍にはアーム機構４４が設けられており、当該アーム機構４４は各整理一時保留部４０、帯封部４２および後述する帯封紙幣揚送部４６の間で移動可能となっている。このようなアーム機構４４は、各整理一時保留部４０に集積された所定枚数のバラ紙幣からなる紙幣束を帯封部４２に搬送するようになっている。また、帯封部４２において帯封処理が行われる際に、所定枚数のバラ紙幣からなる紙幣束を保持しているアーム機構４４はこの帯封部４２に移動し、当該帯封部４２においてアーム機構４４の上下一対のアーム部により挟持された状態にある紙幣束の外周面に帯封紙が巻かれるようになっている。また、帯封部４２において帯封処理が行われた後、アーム機構４４は帯封部４２から帯封紙幣揚送部４６に移動して、この帯封紙幣揚送部４６のステージ４６ａ（後述）上に帯封紙幣を受け渡すことができるようになっている。このような動作を繰り返すことにより、複数の帯封紙幣を帯封紙幣揚送部４６のステージ４６ａ上に集積させることができる。
【００３５】
帯封紙幣揚送部４６には、図２における上下方向に移動可能となっているステージ４６ａが設けられており、帯封部４２により作成された帯封紙幣がアーム機構４４からステージ４６ａ上に受け渡されると、当該ステージ４６ａ上に帯封紙幣が集積されるようになる。そして、アーム機構４４からステージ４６ａ上に１または複数の帯封紙幣が受け渡された後、ステージ４６ａが図２における上方向に移動することにより帯封紙幣投出部４８と同じ高さレベルに到達し、シャッター４８ａが開くと、操作者は帯封紙幣投出部４８の内部にアクセスしてステージ４６ａ上に集積されている帯封紙幣を筐体１２の外部に取り出すことができるようになる。また、ステージ４６ａが更に上昇すると、当該ステージ４６ａ上に集積されている帯封紙幣を後述する帯封紙幣搬送部６０に受け渡したり、帯封紙幣搬送部６０から帯封紙幣をステージ４６ａ上に集積させたりすることができるようになる。
【００３６】
図２に示すように、筐体１２の内部における上部領域には、複数（図２に示す例では４つ）の帯封紙幣収納部７０が設けられており、これらの帯封紙幣収納部７０には、帯封部４２により作成された帯封紙幣が積層状態で収納されるようになっている。具体的には、各帯封紙幣収納部７０には、それぞれ予め設定された特定の金種の帯封紙幣が収納されるようになっている。なお、予め設定された特定の金種の帯封紙幣が収納される帯封紙幣収納部７０が４つ設けられる代わりに、複数の帯封紙幣収納部７０のうち少なくとも１つの帯封紙幣収納部７０に金種が異なる帯封紙幣が混合状態で収納されるようになっていてもよい。
【００３７】
各帯封紙幣収納部７０の内部にはそれぞれ図２における上下方向に移動可能となっているステージ７０ａが設けられており、帯封紙幣収納部７０の上端部（天井部分）に設けられた開口（図示せず）からこれらの各帯封紙幣収納部７０に送られた帯封紙幣はステージ７０ａ上に積層状態で集積されるようになっている。また、各帯封紙幣収納部７０から帯封紙幣を出す場合には、ステージ７０ａが上昇することにより各帯封紙幣収納部７０の上端部（天井部分）に設けられた開口から帯封紙幣が上方に出されるようになる。
【００３８】
また、これらの各帯封紙幣収納部７０の上方には帯封紙幣の搬送を行う帯封紙幣搬送部６０が設けられている。帯封紙幣搬送部６０は、複数の突起６０ａが等間隔で設けられた循環ベルト６０ｂを有しており、この循環ベルト６０ｂは図２における時計回りの方向および反時計回りの方向の両方向に循環移動することができるようになっている。そして、帯封紙幣搬送部６０により帯封紙幣が搬送される際に、当該帯封紙幣は循環ベルト６０ｂの下面に沿って突起６０ａにより引っ掛けられた状態で図２における左右いずれかの方向に移動するようになる。また、図２に示すように、帯封紙幣搬送部６０による帯封紙幣の搬送路における帯封紙幣揚送部４６の上端と帯封紙幣収納部７０との間には判別部６２が設けられており、帯封紙幣搬送部６０により搬送される帯封紙幣は当該判別部６２によりその金種が判別されるようになっている。
【００３９】
ここで、帯封部４２により作成された帯封紙幣を各帯封紙幣収納部７０に収納させる際には、アーム機構４４から帯封紙幣が帯封紙幣揚送部４６のステージ４６ａ上に受け渡された後に当該ステージ４６ａが上昇して帯封紙幣搬送部６０の近傍の位置まで到達するようになる。また、循環ベルト６０ｂは図２における反時計回りの方向に循環移動する。このことにより、ステージ４６ａ上の帯封紙幣のうち最上位にある帯封紙幣が突起６０ａにより引っ掛けられて循環ベルト６０ｂの下面に沿って図２における右方向に搬送され、判別部６２によりその金種が判別された後、当該判別部６２による判別結果に基づいて対応する各帯封紙幣収納部７０に収納されるようになる。一方、各帯封紙幣収納部７０に収納されている帯封紙幣を帯封紙幣投出部４８により筐体１２の外部に出金する際には、循環ベルト６０ｂは図２における時計回りの方向に循環移動し、各帯封紙幣収納部７０から上方に押し出された最上位の帯封紙幣が突起６０ａにより引っ掛けられて循環ベルト６０ｂの下面に沿って図２における左方向に搬送されるようになる。また、ステージ４６ａが上昇して帯封紙幣搬送部６０の近傍の位置まで到達するようになる。そして、帯封紙幣搬送部６０により搬送される帯封紙幣の金種が判別部６２により判別された後、当該帯封紙幣はステージ４６ａ上に集積される。複数の帯封紙幣を出金する際には、帯封紙幣の送り込みに合わせてステージ４６ａが所定量（具体的には、帯封紙幣の厚み寸法相当）ずつ下降する。ステージ４６ａ上に所定の数の帯封紙幣が集積されると当該ステージ４６ａが帯封紙幣投出部４８と同じ高さレベルまで下降し、シャッター４８ａが開くようになる。
【００４０】
次に、本実施の形態による貨幣入出金機１における硬貨入出金装置１１０の構成について図１および図３乃至図７を用いて説明する。図１および図３乃至図７に示すように、本実施の形態による硬貨入出金装置１１０は、略直方体形状の筐体１１２と、筐体１１２の上面に設けられた硬貨投入口１２１に投入されたバラ硬貨を筐体１１２の内部に繰り出す入金繰出部１２０と、入金繰出部１２０により繰り出されたバラ硬貨を搬送する入金搬送部１２８と、入金搬送部１２８により搬送されるバラ硬貨を識別する入金識別部１２９とを備えている。また、図６に示すように、入金搬送部１２８には、入金識別部１２９により正常な硬貨ではないと識別されたバラ硬貨や入金識別部１２９により識別することができなかったバラ硬貨をリジェクト硬貨として選別するリジェクト選別部１３０、入金識別部１２９により特定の任意の金種の硬貨であると識別されたバラ硬貨を選別する任意選別部１３４、および入金識別部１２９により各々の金種の硬貨であると識別されたバラ硬貨を選別する複数の金種別選別部１３６がそれぞれ設けられている。また、筐体１１２の内部には、任意選別部１３４や各金種別選別部１３６により選別されたバラ硬貨を金種毎に一時的に保留する入金一時保留部１４０、および入金一時保留部１４０から送られたバラ硬貨を金種毎に収納するとともに収納されているバラ硬貨を繰り出すことができる複数の収納繰出部１５２がそれぞれ設けられている。また、筐体１１２の内部には、任意選別部１３４により選別されたバラ硬貨を紙やフィルム等の包装媒体により包装することによって包装硬貨を作成する包装部１６０、包装部１６０により作成された包装媒体を収納する包装硬貨収納ユニット２００および包装部１６０により作成された包装媒体を筐体１１２の内部で搬送する包装硬貨搬送ユニット２１０がそれぞれ設けられている。このような硬貨入出金装置１１０の各構成部材の詳細について以下に説明する。
【００４１】
図３、図４および図６に示すように、入金繰出部１２０は、筐体１１２の上面に設けられた硬貨投入口１２１に投入されたバラ硬貨を受け入れる供給円盤１２２と、この供給円盤１２２からバラ硬貨が適量ずつ供給される回転円盤１２４と、回転円盤１２４からバラ硬貨を１枚ずつ入金搬送部１２８に繰り出す繰出機構１２６とを有している。
【００４２】
図６に示すように、入金搬送部１２８は、入金繰出部１２０から繰り出されたバラ硬貨を搬送路に沿って搬送する搬送ベルトを有している。ここで、搬送ベルトとしては例えば入金搬送部１２８の搬送路に沿って移動する丸ベルトが用いられるようになっており、入金繰出部１２０から繰り出されたバラ硬貨は当該丸ベルトとの間で働く摩擦力により搬送路に沿って搬送されるようになっている。また、入金搬送部１２８には、当該入金搬送部１２８により搬送されるバラ硬貨の金種、真偽、正損、新旧、表裏、搬送状態等の識別を行う入金識別部１２９が設けられている。入金識別部１２９によるバラ硬貨の識別情報は後述する制御部３００に送られるようになっている。
【００４３】
また、図６に示すように、入金搬送部１２８には、入金識別部１２９により正常な硬貨ではないと識別されたバラ硬貨や入金識別部１２９により識別することができなかったバラ硬貨をリジェクト硬貨として選別するリジェクト選別部１３０が設けられている。また、図４に示すように、筐体１１２の内部には、リジェクト選別部１３０により選別されたリジェクト硬貨としてのバラ硬貨が集積される入金リジェクト部１３８、およびリジェクト選別部１３０から入金リジェクト部１３８にリジェクト硬貨としてのバラ硬貨を送る入金リジェクト用シュート１３１がそれぞれ設けられている。ここで、図１に示すように、操作者は筐体１１２の前面から入金リジェクト部１３８の内部にアクセス可能となっており、入金リジェクト部１３８に送られたリジェクト硬貨としてのバラ硬貨を操作者は筐体１１２の前面から取り出すことができるようになっている。
【００４４】
また、図６に示すように、入金搬送部１２８において、硬貨の搬送方向におけるリジェクト選別部１３０の下流側には、入金識別部１２９により特定の任意の金種の硬貨であると識別されたバラ硬貨を選別する任意選別部１３４が設けられている。ここで、任意選別部１３４により選別される特定の任意の金種の硬貨とは、例えばバラ硬貨の包装処理において包装部１６０によって包装媒体により包装されることにより包装硬貨とされるべきバラ硬貨や、特定の金種の硬貨の計数処理において袋装着部に装着される貯留袋１７５（図４において二点鎖線で表示）に送られるべきバラ硬貨のことをいう。
【００４５】
また、図６に示すように、入金搬送部１２８において、硬貨の搬送方向における任意選別部１３４の更に下流側には、入金識別部１２９により各々の金種の硬貨であると識別されたバラ硬貨を選別する複数の金種別選別部１３６が設けられている。具体的には、複数の金種別選別部１３６として、硬貨の搬送方向における上流側から順に、５円硬貨を選別する５円硬貨選別部１３６ａ、１円硬貨を選別する１円硬貨選別部１３６ｂ、５０円硬貨を選別する５０円硬貨選別部１３６ｃ、１００円硬貨を選別する１００円硬貨選別部１３６ｄ、１０円硬貨を選別する１０円硬貨選別部１３６ｅおよび５００円硬貨を選別する５００円硬貨選別部１３６ｆが設けられている。ここで、リジェクト選別部１３０、任意選別部１３４および５円硬貨選別部１３６ａは、ソレノイド等の電気的駆動機構によって強制的にバラ硬貨を分岐孔に落とし込ませるような構成となっている。一方、１円硬貨選別部１３６ｂ、５０円硬貨選別部１３６ｃ、１００円硬貨選別部１３６ｄおよび１０円硬貨選別部１３６ｅは、小径硬貨から大径硬貨の順にバラ硬貨を径の大きさで選別して該当する分岐孔に落とし込ませるような構成となっている。また、５００円硬貨選別部１３６ｆは、５円硬貨選別部１３６ａ、１円硬貨選別部１３６ｂ、５０円硬貨選別部１３６ｃ、１００円硬貨選別部１３６ｄおよび１０円硬貨選別部１３６ｅの各分岐孔に落とし込まれなかったバラ硬貨を５００円硬貨として当該５００円硬貨選別部１３６ｆに対応する分岐孔に落とし込ませるような構成となっている。
【００４６】
また、図３および図４に示すように、筐体１１２の内部において入金搬送部１２８の下方には入金一時保留部１４０が設けられている。入金一時保留部１４０は、任意選別部１３４により選別されたバラ硬貨が一時的に保留される任意一時保留部１４２と、各金種別選別部１３６により選別されたバラ硬貨が金種別に一時的に保留される金種別一時保留部１４４とを有している。ここで、任意一時保留部１４２は、その上部および底部が開口した枠体から構成されている。また、金種別一時保留部１４４は、５円、１円、５０円、１００円、１０円、５００円の各金種に対応する保留領域１４４ａ、１４４ｂ、１４４ｃ、１４４ｄ、１４４ｅ、１４４ｆに区画された、その上部および底部が開口した枠体から構成されている。また、任意一時保留部１４２および金種別一時保留部１４４は互いに連結されており、これらの任意一時保留部１４２および金種別一時保留部１４４は一体的に水平方向に移動するようになっている。また、任意一時保留部１４２や金種別一時保留部１４４の下方には板状の底部材１４６が設けられており、これらの任意一時保留部１４２や金種別一時保留部１４４の枠体の底部に設けられた開口が底部材１４６により選択的に閉止されるようになっている。また、図３および図４に示すように、入金一時保留部１４０は、任意一時保留部１４２および金種別一時保留部１４４を水平方向（具体的には、図３における左右方向）に移動させる第１駆動機構１４５と、底部材１４６を水平方向（具体的には、図３における左右方向）に移動させる第２駆動機構１４７とを有している。
【００４７】
また、図３および図４に示すように、筐体１１２の内部において入金一時保留部１４０の更に下方には、入金一時保留部１４０から送られたバラ硬貨を筐体１１２の外部に排出するための排出部１５０、入金一時保留部１４０から送られたバラ硬貨を金種毎に収納するとともに収納されているバラ硬貨を繰り出すことができる複数の収納繰出部１５２、入金一時保留部１４０の任意一時保留部１４２から送られたバラ硬貨を包装部１６０や後述する袋装着部に装着された貯留袋１７５に送るシュート機構１７０、および入金一時保留部１４０の任意一時保留部１４２から送られたバラ硬貨が収納されるバラ硬貨一括収納箱１９８（図１参照、図３や図４では図示せず）がそれぞれ設けられている。
【００４８】
入金一時保留部１４０における金種別一時保留部１４４は、各金種別選別部１３６の分岐孔の真下かつ排出部１５０の真上の位置である第１位置と、各収納繰出部１５２の真上の位置である第２位置との間で図３における左右方向に移動可能となっている。また、底部材１４６は、第１位置にある金種別一時保留部１４４の底部の開口を塞ぐ第１位置と、第１位置にある金種別一時保留部１４４の底部の開口を開く第２位置との間で図３における左右方向に移動可能となっている。また、本実施の形態による硬貨入出金装置１１０が待機状態にあるときには金種別一時保留部１４４は第１位置に位置するとともに底部材１４６も第１位置に位置するようになる。ここで、金種別一時保留部１４４が第１位置に位置するとともに底部材１４６が第１位置に位置しているときには、各金種別選別部１３６の分岐孔に落とし込まれたバラ硬貨は金種別一時保留部１４４の各保留領域１４４ａ〜１４４ｆに金種毎に一時的に保留されるようになる。そして、金種別一時保留部１４４の各保留領域１４４ａ〜１４４ｆにバラ硬貨が一時的に保留されている状態から第１駆動機構１４５により金種別一時保留部１４４が第１位置から第２位置に移動させられると、金種別一時保留部１４４の各保留領域１４４ａ〜１４４ｆの底部に設けられた開口が開くことにより各保留領域１４４ａ〜１４４ｆからバラ硬貨が自重により落下して各収納繰出部１５２の収納領域１５２ａ〜１５２ｆ（後述）に金種毎に送られ、各収納繰出部１５２の収納領域１５２ａ〜１５２ｆに金種毎に収納されるようになる。一方、金種別一時保留部１４４の各保留領域１４４ａ〜１４４ｆにバラ硬貨が一時的に保留されている状態から第２駆動機構１４７により底部材１４６が第１位置から第２位置に移動させられると、金種別一時保留部１４４の各保留領域１４４ａ〜１４４ｆの底部に設けられた開口が開くことにより各保留領域１４４ａ〜１４４ｆからバラ硬貨が自重により落下して排出部１５０に送られ、この排出部１５０に金種混合状態で集積されるようになる。
【００４９】
また、入金一時保留部１４０における任意一時保留部１４２は、第１駆動機構１４５による当該任意一時保留部１４２の移動方向（具体的には、図３における左右方向）に沿って並ぶ第１保留領域および第２保留領域に区画されたものから構成されている。そして、金種別一時保留部１４４が第１位置に位置しているときには任意一時保留部１４２の第１保留領域が任意選別部１３４の分岐孔の真下に位置するとともに排出部１５０の真上に位置するようになる。なお、このときに底部材１４６が第１位置に位置しているときには任意一時保留部１４２の第１保留領域の底部の開口が当該底部材１４６により塞がれるようになり、任意選別部１３４の分岐孔に落とし込まれたバラ硬貨は任意一時保留部１４２の第１保留領域に一時的に保留されるようになる。また、金種別一時保留部１４４が第２位置に位置しているときには任意一時保留部１４２の第１保留領域がバラ硬貨一括収納箱１９８の真上に位置するようになっている。そして、任意一時保留部１４２の第１保留領域にバラ硬貨が一時的に保留されている状態から第１駆動機構１４５により金種別一時保留部１４４が第１位置から第２位置に移動させられると、任意一時保留部１４２の第１保留領域の底部に設けられた開口が開くことによりこの第１保留領域からバラ硬貨が自重により落下してバラ硬貨一括収納箱１９８に送られ、このバラ硬貨一括収納箱１９８に収納されるようになる。一方、任意一時保留部１４２の第１保留領域にバラ硬貨が一時的に保留されている状態から第２駆動機構１４７により底部材１４６が第１位置から第２位置に移動させられると、任意一時保留部１４２の第１保留領域の底部に設けられた開口が開くことによりこの第１保留領域からバラ硬貨が自重により落下して排出部１５０に送られ、当該排出部１５０に集積されるようになる。また、第１駆動機構１４５によって、入金一時保留部１４０における任意一時保留部１４２を、その第２保留領域が任意選別部１３４の分岐孔の真下に位置するような第３位置に移動させることができるようになっている。ここで、任意一時保留部１４２が第３位置に位置しているときには、任意選別部１３４の分岐孔に落とし込まれたバラ硬貨は任意一時保留部１４２の第２保留領域に送られた後、この第２保留領域を通過してシュート機構１７０の上部シュート１７２（後述）に送られるようになっている。
【００５０】
図４等に示すように、複数の収納繰出部１５２の各々は、それぞれ、５円、１円、５０円、１００円、１０円、５００円の各金種に対応する収納領域１５２ａ、１５２ｂ、１５２ｃ、１５２ｄ、１５２ｅ、１５２ｆを有しており、これらの収納領域１５２ａ〜１５２ｆにバラ硬貨が金種別に収納されるようになっている。より詳細には、各収納繰出部１５２の収納領域１５２ａ〜１５２ｆには、入金一時保留部１４０の金種別一時保留部１４４の各保留領域１４４ａ〜１４４ｆからバラ硬貨がそれぞれ送られるようになっている。また、各収納繰出部１５２において収納領域１５２ａ〜１５２ｆの底部には回転円盤等の硬貨繰出部１５２ｐがそれぞれ設けられており、各硬貨繰出部１５２ｐにより各収納繰出部１５２の収納領域１５２ａ〜１５２ｆからバラ硬貨が１枚ずつ繰り出されるようになっている。また、各収納繰出部１５２の下方には水平方向に延びるコンベア１５４が設けられており、各硬貨繰出部１５２ｐにより各収納繰出部１５２の収納領域１５２ａ〜１５２ｆから繰り出されたバラ硬貨はコンベア１５４により搬送されるようになっている。ここで、コンベア１５４には、当該コンベア１５４により搬送されるバラ硬貨の金種、真偽、正損、新旧、表裏、搬送状態等の識別を行う出金識別部１５５が設けられている。出金識別部１５５によるバラ硬貨の識別情報は後述する制御部３００に送られるようになっている。また、出金識別部１５５により識別されたバラ硬貨はコンベア１５４により出金用シュート１５８を介して出金箱１９０に送られるか、あるいは包装用シュート１５７を介して包装部１６０に送られるようになっている。
【００５１】
排出部１５０は、筐体１１２の前面から操作者が手前側に引き出し可能な返却箱１５０ａを有しており、入金一時保留部１４０における任意一時保留部１４２の第１保留領域や金種別一時保留部１４４の各保留領域１４４ａ〜１４４ｆから送られたバラ硬貨が金種混合状態で返却箱１５０ａに集積されるようになっている。
【００５２】
バラ硬貨一括収納箱１９８は、筐体１１２の前面から操作者が手前側に引き出し可能となっており、入金一時保留部１４０における任意一時保留部１４２の第１保留領域から送られたバラ硬貨が集積されるようになっている。
【００５３】
図４に示すように、シュート機構１７０は、入金一時保留部１４０における任意一時保留部１４２の第２保留領域から送られたバラ硬貨が通過する上部シュート１７２と、この上部シュート１７２から分岐した貯留用シュート１７４および包装用シュート１７６とを有しており、上部シュート１７２から貯留用シュート１７４や包装用シュート１７６への分岐箇所には分岐部材１７８が設けられている。ここで、上部シュート１７２から分岐部材１７８により包装用シュート１７６に分岐させられたバラ硬貨は包装部１６０に送られるようになっている。一方、図４に示すように、貯留用シュート１７４の下流側端部に位置する排出側開口１７４ａは筐体１１２の前面に開口するようになっており、この排出側開口１７４ａの近傍には、図４において二点鎖線で示すような貯留袋１７５を筐体１１２の前面に装着させる袋装着部（図示せず）が設けられている。そして、袋装着部に貯留袋１７５が装着されているときには、上部シュート１７２から分岐部材１７８により貯留用シュート１７４に分岐させられたバラ硬貨は排出側開口１７４ａから貯留袋１７５に送られてこの貯留袋１７５に貯留されるようになる。
【００５４】
出金箱１９０は、筐体１１２の前面から操作者が手前側に引き出し可能となっており、本実施の形態による硬貨入出金装置１１０においてバラ硬貨の出金処理が行われる際に、各収納繰出部１５２の収納領域１５２ａ〜１５２ｆから繰り出されたバラ硬貨がコンベア１５４により出金用シュート１５８を介して出金箱１９０に送られるようになっている。また、出金箱１９０には、操作者が当該出金箱１９０を筐体１１２の前面から手前側に引き出す際に把持される取っ手１９０ａが設けられており、このような取っ手１９０ａを操作者が把持することにより出金箱１９０を筐体１１２から容易に引き出すことができるようになっている。また、出金箱１９０には図示しないロック機構が設けられており、このロック機構により出金箱１９０は筐体１１２の内部にロックされるようになっている。一方、ロック機構によるロックが解除されると、操作者は出金箱１９０を筐体１１２の前面から手前側に引き出すことができるようになる。また、図３に示すように、出金箱１９０の底部には開口が設けられているとともに、この開口はシャッタ部材１９２により選択的に閉じられるようになっている。また、筐体１１２の下部には、出金リジェクト箱１５６と、出金箱１９０の底部に設けられた開口から出金リジェクト箱１５６にバラ硬貨を送る出金リジェクト用シュート１９４がそれぞれ設けられている。そして、本実施の形態による硬貨入出金装置１１０においてバラ硬貨の出金処理が行われる際に、出金されるべきバラ硬貨の金種とは異なる金種のバラ硬貨が収納繰出部１５２の各収納領域１５２ａ〜１５２ｆから繰り出されて出金箱１９０に送られたり、収納繰出部１５２の各収納領域１５２ａ〜１５２ｆからのバラ硬貨の繰り出しエラーによって各収納領域１５２ａ〜１５２ｆから繰り出されたバラ硬貨の枚数が不確定となってしまったりした場合には、出金箱１９０の底部に設けられた開口がシャッタ部材１９２により開かれ、出金箱１９０に送られたバラ硬貨はこの出金箱１９０から出金リジェクト用シュート１９４を介して出金リジェクト箱１５６に送られるようになる。
【００５５】
包装部１６０は、シュート機構１７０の包装用シュート１７６や包装用シュート１５７により当該包装部１６０に送られたバラ硬貨が集積されるとともに集積されたバラ硬貨を１枚ずつ繰り出す集積部としての回転円盤１６２と、回転円盤１６２により繰り出されたバラ硬貨を搬送するコンベア１６３と、コンベア１６３により搬送されたバラ硬貨が積層状態で集積されるとともに集積された所定の枚数（例えば、５０枚）のバラ硬貨を紙やフィルム等の包装媒体により包装する包装機構１６８とを有している。ここで、包装機構１６８は上方から見て仮想の正三角形の各頂点に位置する３本の包装ローラ１６８ａを有しており、各包装ローラ１６８ａの間の包装領域において所定枚数重積した重積硬貨が包装媒体により包装されることにより包装硬貨が作成されるようになっている。図５に示すように、包装機構１６８により作成された包装硬貨はこの包装機構１６８から下方に排出されるようになっている。また、包装機構１６８の下方には包装硬貨用シュート１６５および横搬送部１６７が設けられており、包装機構１６８により作成された包装硬貨が当該包装機構１６８から下方に排出されると、この排出された包装硬貨は包装硬貨用シュート１６５を通って横搬送部１６７に送られ、この横搬送部１６７により包装硬貨搬送ユニット２１０に向かって搬送されるようになる。また、横搬送部１６７と包装硬貨搬送ユニット２１０との間には、横搬送部１６７から包装硬貨搬送ユニット２１０への包装硬貨の放出と放出規制とを切り換える切換部材１６９が設けられている。
【００５６】
また、図３等に示すように、包装部１６０においてコンベア１６３の下方には排出シュート１６４が設けられており、包装機構１６８により所定の枚数（例えば、５０枚）のバラ硬貨を包装する際に所定の枚数に満たない端数分のバラ硬貨はコンベア１６３から排出シュート１６４に送られてこの排出シュート１６４により出金リジェクト箱１５６に送られるようになっている。また、出金リジェクト箱１５６の近傍には、端数分のバラ硬貨を収納する端数硬貨収納箱１９７が設けられているとともに、この出金リジェクト箱１５６には、排出シュート１６４から送られた端数分のバラ硬貨を出金リジェクト箱１５６および端数硬貨収納箱１９７の何れかに分岐させる分岐部材１９６が設けられている。このような分岐部材１９６が設けられていることにより、コンベア１６３から排出シュート１６４に送られた端数分のバラ硬貨を出金リジェクト箱１５６および端数硬貨収納箱１９７のうち何れかに収納させることができるようになる。
【００５７】
図５に示すように、包装硬貨搬送ユニット２１０は、筐体１１２の内部における上部および下部にそれぞれ設けられた２つのプーリ２１２と、これらの２つのプーリ２１２に掛け渡された無端状の循環ベルト２１４と、２つのプーリ２１２のうち一方のプーリ２１２を回転駆動させることにより循環ベルト２１４を図５における時計回りの方向および反時計回りの方向に循環移動させる駆動モータ（図示せず）とを有している。また、図５に示すように、循環ベルト２１４には、包装硬貨搬送ユニット２１０により搬送されるべき包装硬貨が引っ掛けられる突起２１６が等間隔で複数設けられている。ここで、各突起２１６は、当該突起２１６と包装硬貨とが接する面が循環ベルト２１４の延びる方向（すなわち、図５における上下方向）に対して所定の角度（例えば、６０°）をなして傾斜する方向に当該循環ベルト２１４から突出して形成されている。このように各突起２１６が循環ベルト２１４の延びる方向に対して傾斜していることにより、突起２１６に引っ掛けられた包装硬貨はその自重により突起２１６上で循環ベルト２１４側に寄せられるようになる。そして、循環ベルト２１４が図５における反時計回りの方向に循環移動すると、包装硬貨は突起２１６に引っ掛けられた状態で（すなわち、突起２１６上で循環ベルト２１４側に寄せられた状態で）循環ベルト２１４の移動に合わせて図５における反時計回りの方向に沿って搬送されるようになる。また、本実施の形態では、循環ベルト２１４は、所定量だけ移動すると所定時間だけ停止し、その後再び所定量だけ移動するような動作が繰り返し行われる間欠移動を行うよう、駆動モータにより駆動させられるようになっている。
【００５８】
また、図５に示すように、筐体１１２の内部において包装硬貨搬送ユニット２１０の近傍には、包装硬貨の収納を行う包装硬貨収納ユニット２００が設けられている。ここで、包装硬貨収納ユニット２００は、同一金種の複数の包装硬貨を一列に収納する複数（図５に示す例では６つ）の収納トレイ２４０を有しており、各収納トレイ２４０には包装硬貨が金種別に収納されるようになっている。ここで、各収納トレイ２４０は水平方向に対して傾斜しており、収納トレイ２４０に収納されている包装硬貨は、包装硬貨搬送ユニット２１０に近い側である収納トレイ２４０の最前部に向かって転がるようになっている。また、各収納トレイ２４０は鉛直方向に沿って並ぶよう配置されている。また、各収納トレイ２４０に収納される包装硬貨の金種は収納トレイ２４０毎に予め設定されている。
【００５９】
また、各収納トレイ２４０は、図５に示す位置から包装硬貨搬送ユニット２１０に向かって（すなわち、図５における左方向に）移動可能となっており、各収納トレイ２４０が包装硬貨搬送ユニット２１０における循環ベルト２１４の近傍の位置まで進出したときに、各収納トレイ２４０に収納されている包装硬貨が循環ベルト２１４の突起２１６に１つずつ受け渡されるようになる。また、各収納トレイ２４０の前端部分（すなわち、図５における左端部分）と、包装硬貨搬送ユニット２１０との間には、各収納トレイ２４０に対応して複数のストッパ部分２０４ａが設けられたストッパ機構２０４が上下方向に移動可能に配置されている。このストッパ機構２０４が下降位置にあるときには、包装硬貨搬送ユニット２１０に向かって進出した収納トレイ２４０の最前部の包装硬貨にストッパ部分２０４ａが接触してこの最前部の包装硬貨が循環ベルト２１４の突起２１６に受け渡されないようになる。この場合には、循環ベルト２１４により搬送される包装硬貨が突起２１６から収納トレイ２４０の最前部に受け渡され、この収納トレイ２４０に収納されるようになる。一方、ストッパ機構２０４が上昇位置にあるときには、包装硬貨搬送ユニット２１０に向かって進出した収納トレイ２４０の最前部の包装硬貨にストッパ部分２０４ａが接触せず、この最前部の包装硬貨が循環ベルト２１４の突起２１６に受け渡されるようになる。
【００６０】
また、筐体１１２の前面において包装硬貨搬送ユニット２１０の前部域には、包装硬貨出金部２３０、包装硬貨一括収納箱２３２および包装硬貨投出部２３６がそれぞれ設けられている。また、包装硬貨出金部２３０、包装硬貨一括収納箱２３２および包装硬貨投出部２３６の各々に対応して、包装硬貨搬送ユニット２１０の循環ベルト２１４により搬送される包装硬貨を選択的に包装硬貨出金部２３０、包装硬貨一括収納箱２３２および包装硬貨投出部２３６にそれぞれ分岐させる分岐部材２１８、２１９、２２０が設けられている。また、分岐部材２２０により包装硬貨搬送ユニット２１０から分岐させられた包装硬貨を包装硬貨投出部２３６に送る包装硬貨投出用シュート２３８が設けられている。ここで、図１に示すように、操作者は筐体１１２の前面から包装硬貨出金部２３０にアクセス可能となっており、包装硬貨出金部２３０に送られた包装硬貨を操作者は筐体１１２の外部に取り出すことができるようになっている。また、図１に示すように、操作者は筐体１１２の前面から包装硬貨投出部２３６にアクセス可能となっており、分岐部材２２０により包装硬貨搬送ユニット２１０の循環ベルト２１４から分岐させられて包装硬貨投出用シュート２３８により包装硬貨投出部２３６に送られた包装硬貨を操作者は筐体１１２の外部に取り出すことができるようになっている（具体的には、包装硬貨投出部２３６の下方に箱状の容器を置いて、投出される包装硬貨をこの容器で受け入れるようになっている）。また、循環ベルト２１４を図５における時計回りの方向に循環移動させた場合には、横搬送部１６７により包装硬貨搬送ユニット２１０に送られた包装硬貨をすぐに包装硬貨投出用シュート２３８経由で包装硬貨投出部２３６に送ることができるようになる。
【００６１】
また、図１に示すように、筐体１１２の前面側における右側部分には開閉可能な前扉１１４が設けられており、当該前扉１１４を開くことにより筐体１１２内の包装硬貨収納ユニット２００にアクセスすることができるようになっている。より詳細には、前扉１１４には上述した包装硬貨出金部２３０、包装硬貨一括収納箱２３２、包装硬貨投出部２３６および包装硬貨搬送ユニット２１０が取り付けられており、前扉１１４を開いたときにはこれらの包装硬貨出金部２３０、包装硬貨一括収納箱２３２、包装硬貨投出部２３６および包装硬貨搬送ユニット２１０も前扉１１４と一体的に移動するようになっている。このことにより、操作者は前扉１１４を開くと包装硬貨収納ユニット２００にアクセスして収納トレイ２４０を取り出すことにより収納トレイ２４０に包装硬貨を収納したり収納トレイ２４０から包装硬貨を取り出したりすることができるようになっている。
【００６２】
また、図１に示すように、筐体１１２の前面側における左側部分にも開閉可能な前扉１１５が設けられている。また、筐体１１２の内部において前扉１１５の裏側には複数の引出ユニットが設けられており、操作者は前扉１１５を開くことにより各引出ユニットを筐体１１２の手前側に引き出すことができるようになっている。また、各引出ユニットにはロック機構２５０（図８参照）が設けられており、当該ロック機構２５０は対応する引出ユニットを筐体１１２の内部にロックするようになっている。
【００６３】
また、本実施の形態の貨幣入出金機１には、当該貨幣入出金機１の各構成部材の制御を行う制御部３００が設けられている。より詳細には、図８に示すように、制御部３００には、紙幣入出金装置１０の投入部１４、繰出部１６、搬送部１８、識別部２０、表裏反転部２２、入金一時保留部３０（具体的には、入金一時保留部３０に設けられたステージ３０ａの駆動機構（図示せず）や紙幣繰出繰入部３０ｂ）、混合バラ紙幣収納部３２（具体的には、混合バラ紙幣収納部３２に設けられたステージ３２ａの駆動機構（図示せず）や紙幣繰出繰入部３２ｂ）、各金種別バラ紙幣収納部３４（具体的には、各金種別バラ紙幣収納部３４に設けられたステージ３４ａの駆動機構（図示せず）や紙幣繰出繰入部３４ｂ）、帯封部４２、アーム機構４４、帯封紙幣揚送部４６、帯封紙幣搬送部６０、判別部６２、各帯封紙幣収納部７０（具体的には、各帯封紙幣収納部７０に設けられたステージ７０ａの駆動機構（図示せず））、引出ユニット１３に設けられたロック機構５０、各シャッター２４ａ、４８ａを開閉させるシャッター駆動部２４ｂ、４８ｂ等がそれぞれ接続されている。そして、識別部２０によるバラ紙幣の識別結果に係る信号や判別部６２による帯封紙幣の金種の判別結果に係る情報等が制御部３００に送られるとともに、制御部３００は紙幣入出金装置１０の各構成部材に指令信号を送ることによりこれらの構成部材の動作を制御するようになっている。
【００６４】
また、図８に示すように、制御部３００には、硬貨入出金装置１１０の入金繰出部１２０、入金搬送部１２８、入金識別部１２９、各選別部１３０、１３４、１３６、入金一時保留部１４０、各収納繰出部１５２、コンベア１５４、出金識別部１５５、包装部１６０、包装硬貨収納ユニット２００、包装硬貨搬送ユニット２１０、各分岐部材２１８、２１９、２２０、ロック機構２５０等がそれぞれ接続されている。ここで、入金識別部１２９や出金識別部１５５によるバラ硬貨の識別情報はこれらの入金識別部１２９や出金識別部１５５から制御部３００に送られるようになっている。また、制御部３００は、硬貨入出金装置１１０の各構成部材に指令の信号を送ることによりこれらの構成部材の動作を制御するようになっている。
【００６５】
また、図８に示すように、制御部３００には、操作表示部３０２、印字部３０４、記憶部３０６および通信インターフェース部３０８がそれぞれ接続されている。図１に示すように、操作表示部３０２は、例えば硬貨入出金装置１１０の筐体１１２の上部に設けられたタッチパネル等からなり、紙幣入出金装置１０や硬貨入出金装置１１０における紙幣や硬貨の処理状況や、紙幣入出金装置１０や硬貨入出金装置１１０に収納されている紙幣や硬貨の在高等の情報を表示するようになっている。また、操作者はこの操作表示部３０２により制御部３００に様々な指令を入力することができるようになっている。また、図１に示すように、印字部３０４は、紙幣入出金装置１０や硬貨入出金装置１１０における紙幣や硬貨の処理状況や、紙幣入出金装置１０や硬貨入出金装置１１０に収納されている紙幣や硬貨の在高等の情報をレシート等に印刷するプリンタ等から構成されている。また、記憶部３０６は、紙幣入出金装置１０や硬貨入出金装置１１０における紙幣や硬貨の処理履歴や、紙幣入出金装置１０や硬貨入出金装置１１０に収納されている紙幣や硬貨の在高等の情報を記憶するようになっている。また、制御部３００は通信インターフェース部３０８を介して上位端末等の外部装置３１０に対して様々な信号の送受信を行うことができるようになっている。
【００６６】
また、図８に示すように、制御部３００には、処理モード選択手段３２０、日時情報取得部３２２および操作者検知手段３２４がそれぞれ接続されている。処理モード選択手段３２０は、貨幣入出金機１の紙幣入出金装置１０や硬貨入出金装置１１０においてバラ紙幣やバラ硬貨の入金処理が行われる際にある金種別バラ紙幣収納部３４やある収納繰出部１５２におけるバラ紙幣やバラ硬貨の収納量が所定量に達したときに後述する第１処理モードおよび第２処理モードのうちどちらの処理モードを行うかを選択するようになっている。また、日時情報取得部３２２は、例えば筐体１２、１１２内に設けられた時計等から構成されており、現在の日時に関する情報を取得するようになっている。また、操作者検知手段３２４は、筐体１２、１１２の前に次の操作者が存在するか否かを検知する人感センサやカメラ等から構成されている。
【００６７】
次に、このような構成からなる貨幣入出金機１の紙幣入出金装置１０においてバラ紙幣の入金処理が行われる際の動作について図９乃至図１１に示すフローチャートならびに図１２および図１３に示す操作表示部３０２の表示画面を用いて説明する。
【００６８】
紙幣入出金装置１０においてバラ紙幣の入金処理を行うにあたり、操作者が投入部１４に１または複数のバラ紙幣を積層状態で投入し、操作表示部３０２によりバラ紙幣の入金処理開始の指令を制御部３００に与えると（ＳＴＥＰ１の「ＹＥＳ」）、投入部１４に投入されたバラ紙幣は１枚ずつ繰出部１６により筐体１２の内部に繰り出される。そして、筐体１２の内部に繰り出されたバラ紙幣は搬送部１８により識別部２０に搬送され、この識別部２０によりバラ紙幣の金種、真偽、表裏、正損、新旧、搬送状態等が識別された後、表裏反転部２２によりその表裏が揃うように反転させられる（ＳＴＥＰ２）。その後、識別部２０により正常な紙幣であると識別されたバラ紙幣は（ＳＴＥＰ３の「ＹＥＳ」）、搬送部１８により入金一時保留部３０に送られ、この入金一時保留部３０に保留される（ＳＴＥＰ４）。一方、識別部２０により正常な紙幣ではないと識別されたバラ紙幣や識別部２０により識別することができなかったバラ紙幣は（ＳＴＥＰ３の「ＮＯ」）、リジェクト紙幣としてバラ紙幣投出部２４に送られる（ＳＴＥＰ５）。また、バラ紙幣投出部２４にバラ紙幣が存在することが図示しない検知センサにより検知されると、このバラ紙幣投出部２４に設けられたシャッター２４ａが開くようになる。このことにより、操作者はバラ紙幣投出部２４からリジェクト紙幣を取り出して投入部１４に再投入等することができるようになる。投入部１４に投入されたバラ紙幣を筐体１２の内部に繰り出して識別部２０により識別させた後に入金一時保留部３０またはバラ紙幣投出部２４に送る動作は、投入部１４から入金一時保留部３０またはバラ紙幣投出部２４に全てのバラ紙幣が送られるまで繰り返し行われる（ＳＴＥＰ６の「ＮＯ」）。
【００６９】
また、バラ紙幣の入金処理開始の指令が制御部３００に与えられると、操作表示部３０２には入金されるべき紙幣の金種毎の枚数や合計金額等を入力する画面が表示される。図１２は、操作表示部３０２に表示される、入金されるべき紙幣の金種毎の枚数や合計金額等を入力する画面である。そして、投入部１４に投入されたバラ紙幣が全て筐体１２の内部に繰り出されて入金一時保留部３０またはバラ紙幣投出部２４に送られることにより投入部１４にバラ紙幣が存在しなくなったときに（ＳＴＥＰ６の「ＹＥＳ」）、操作者が図１２に示すような操作表示部３０２の入力画面において入金されるべき紙幣の金種毎の枚数や合計金額等を入力した後に「完了」ボタンを押下すると（ＳＴＥＰ７の「ＹＥＳ」）、識別部２０による識別結果に基づくバラ紙幣の計数結果におけるバラ紙幣の金種毎の枚数や合計金額と、操作者によって操作表示部３０２により入力された結果におけるバラ紙幣の金種毎の枚数や合計金額とが等しい場合には（ＳＴＥＰ８の「ＹＥＳ」）、制御部３００においてバラ紙幣の入金処理が確定されるようになる（ＳＴＥＰ９）。また、バラ紙幣の入金処理が確定されると、入金されたバラ紙幣の明細書が印字部３０４により発行されるようになる（ＳＴＥＰ１０）。なお、別の例として、識別部２０による識別結果に基づくバラ紙幣の計数結果におけるバラ紙幣の金種毎の枚数や合計金額と、操作者によって操作表示部３０２により入力された結果におけるバラ紙幣の金種毎の枚数や合計金額とが等しい場合に、入金確定を操作者に求める画面が操作表示部３０２に表示され、このような入金確定を操作者に求める画面が操作表示部３０２に表示されているときに、操作者が操作表示部３０２により入金確定の指令を制御部３００に与えると制御部３００においてバラ紙幣の入金処理が確定されるようになっていてもよい。また、識別部２０による識別結果に基づくバラ紙幣の計数結果におけるバラ紙幣の金種毎の枚数や合計金額と、操作者によって操作表示部３０２により入力された結果におけるバラ紙幣の金種毎の枚数や合計金額とが等しくない場合には（ＳＴＥＰ８の「ＮＯ」）、バラ紙幣の計数結果と入力結果が一致しない旨のエラーメッセージが操作表示部３０２に表示されるようになる（ＳＴＥＰ１１）。
【００７０】
バラ紙幣の計数結果と入力結果が一致しない旨のエラーメッセージが操作表示部３０２に表示されると、操作者は操作表示部３０２により「入力値の修正」「バラ紙幣の返却および再投入」「バラ紙幣の追加投入」「入金処理の取り止め」のうちいずれかの処理を行うことを入力することができるようになる。ここで、エラーメッセージが操作表示部３０２に表示されているときに「入力値の修正」を行うことが操作表示部３０２により入力された場合には（ＳＴＥＰ１２）、操作表示部３０２には図１２に示すような操作表示部３０２の入力画面が表示されるようになる。そして、操作者が図１２に示すような操作表示部３０２の入力画面において入金されるべき紙幣の金種毎の枚数や合計金額等を再入力した後に「完了」ボタンを押下すると、識別部２０による識別結果に基づくバラ紙幣の計数結果におけるバラ紙幣の金種毎の枚数や合計金額と、操作者によって操作表示部３０２により再入力された結果におけるバラ紙幣の金種毎の枚数や合計金額とが等しいか否かが再照合されるようになる（ＳＴＥＰ８）。また、エラーメッセージが操作表示部３０２に表示されているときに「バラ紙幣の返却および再投入」を行うことが操作表示部３０２により入力された場合には（ＳＴＥＰ１３）、入金一時保留部３０の内部に一時的に保留されているバラ紙幣が紙幣繰出繰入部３０ｂにより搬送部１８に繰り出され、この繰り出されたバラ紙幣は搬送部１８によりバラ紙幣投出部２４に送られる。そして、入金一時保留部３０に保留されているバラ紙幣が全てバラ紙幣投出部２４に送られると、このバラ紙幣投出部２４に設けられたシャッター２４ａが開くようになる。このことにより、操作者は返却されたバラ紙幣をバラ紙幣投出部２４から取り出して投入部１４に再投入することができるようになる。そして、投入部１４に投入されたバラ紙幣は筐体１２の内部に繰り出されて識別部２０により識別された後に入金一時保留部３０等に送られるようになる。
【００７１】
また、エラーメッセージが操作表示部３０２に表示されているときに「バラ紙幣の追加投入」を行うことが操作表示部３０２により入力された場合には（ＳＴＥＰ１４）、操作者は投入部１４にバラ紙幣を追加投入することができるようになる。そして、投入部１４に追加投入されたバラ紙幣は筐体１２の内部に繰り出されて識別部２０により識別された後に入金一時保留部３０等に送られるようになる。また、エラーメッセージが操作表示部３０２に表示されているときに「入金処理の取り止め」を行うことが操作表示部３０２により入力された場合には（ＳＴＥＰ１５）、識別部２０による識別結果に基づくバラ紙幣の計数結果が制御部３００においてクリアされる（ＳＴＥＰ１６）。また、入金一時保留部３０の内部に一時的に保留されているバラ紙幣が紙幣繰出繰入部３０ｂにより搬送部１８に繰り出され、この繰り出されたバラ紙幣は搬送部１８によりバラ紙幣投出部２４に送られる。そして、入金一時保留部３０に保留されているバラ紙幣が全てバラ紙幣投出部２４に送られると、このバラ紙幣投出部２４に設けられたシャッター２４ａが開くようになる。このことにより、操作者は返却されたバラ紙幣をバラ紙幣投出部２４から取り出すことができるようになる。
【００７２】
なお、入金されるべき紙幣の金種毎の枚数や合計金額等を入力は、入金処理開始時に行ってもよい。この場合でも、識別部２０によるバラ紙幣の計数処理の終了後に、識別部２０による識別結果に基づくバラ紙幣の計数結果におけるバラ紙幣の金種毎の枚数や合計金額と、操作者によって操作表示部３０２により入力された結果におけるバラ紙幣の金種毎の枚数や合計金額とが等しいか否かが照合されるようになる。
【００７３】
また、制御部３００においてバラ紙幣の入金処理が確定されると、入金一時保留部３０の内部に一時的に保留されているバラ紙幣が紙幣繰出繰入部３０ｂにより搬送部１８に繰り出される。そして、入金一時保留部３０から搬送部１８に繰り出されたバラ紙幣は識別部２０に送られることによりその金種等が識別され、その後、搬送部１８によって各金種別バラ紙幣収納部３４に金種毎に送られ、これらの金種別バラ紙幣収納部３４に金種毎に収納されるようになる。そして、入金一時保留部３０に保留されているバラ紙幣が全て各金種別バラ紙幣収納部３４に振り分けられると、紙幣入出金装置１０におけるバラ紙幣の入金処理の一連の動作が完了する。なお、入金一時保留部３０から各金種別バラ紙幣収納部３４にバラ紙幣を金種毎に振り分ける動作の詳細については後述する。
【００７４】
また、投入部１４に投入されたバラ紙幣が全て筐体１２の内部に繰り出されて入金一時保留部３０またはバラ紙幣投出部２４に送られることにより投入部１４にバラ紙幣が存在しなくなったときに、操作者が操作表示部３０２により返却の指令を入力すると、入金一時保留部３０の内部に一時的に保留されているバラ紙幣が紙幣繰出繰入部３０ｂにより搬送部１８に繰り出され、この繰り出されたバラ紙幣は搬送部１８によりバラ紙幣投出部２４に送られる。そして、入金一時保留部３０に保留されているバラ紙幣が全てバラ紙幣投出部２４に送られると、このバラ紙幣投出部２４に設けられたシャッター２４ａが開くようになる。このことにより、操作者は返却されたバラ紙幣をバラ紙幣投出部２４から取り出すことができるようになる。
【００７５】
また、本実施の形態では、入金一時保留部３０から搬送部１８に繰り出されたバラ紙幣を各金種別バラ紙幣収納部３４に金種毎に振り分ける際にある金種の金種別バラ紙幣収納部３４が例えばニアフル状態でありこの金種別バラ紙幣収納部３４にバラ紙幣をこれ以上収納することができない場合には、入金一時保留部３０から繰り出されたバラ紙幣のうちニアフル状態となっている金種別バラ紙幣収納部３４の金種に対応するバラ紙幣を混合バラ紙幣収納部３２に送るか、あるいは入金一時保留部３０から搬送部１８へのバラ紙幣の繰り出し動作を中断し、ニアフル状態となっている金種別バラ紙幣収納部３４からバラ紙幣を搬送部１８に繰り出して当該搬送部１８により整理一時保留部４０に送り、この整理一時保留部４０に集積された所定枚数のバラ紙幣から帯封部４２により帯封紙幣を作成するような動作が行われるようになっている。このような動作の詳細について以下に説明する。
【００７６】
本実施の形態では、処理モード選択手段３２０は、ある金種別バラ紙幣収納部３４におけるバラ紙幣の収納量が所定量（例えば、金種別バラ紙幣収納部３４がニアフル状態となるようなバラ紙幣の量）に達したときに、入金一時保留部３０から搬送部１８に繰り出されたバラ紙幣のうち当該金種別バラ紙幣収納部３４に対応する金種のバラ紙幣をオーバーフロー紙幣として混合バラ紙幣収納部３２に送る第１処理モード、および、ある金種別バラ紙幣収納部３４におけるバラ紙幣の収納量が所定量に達したときに、当該金種別バラ紙幣収納部３４からバラ紙幣を帯封部４２に送って当該帯封部４２で帯封紙幣を作成する第２処理モードのうちいずれかの処理モードを選択するようになっている。また、制御部３００は、処理モード選択手段３２０により選択された処理モードに基づいて紙幣入出金装置１０の各構成部材を制御するようになっている。より詳細には、制御部３００は、入金一時保留部３０からバラ紙幣を繰り出して各金種別バラ紙幣収納部３４に振り分ける際に、ある金種別バラ紙幣収納部３４におけるバラ紙幣の収納量が所定量に達したときに、処理モード選択手段３２０により選択された処理モードに基づいて紙幣入出金装置１０の各構成部材を制御するようになっている。なお、第１処理モードまたは第２処理モードが行われる基準となる金種別バラ紙幣収納部３４におけるバラ紙幣の所定量は、当該金種別バラ紙幣収納部３４がニアフル状態となるようなバラ紙幣の量に限定されることはなく、金種別バラ紙幣収納部３４がニアフル状態となるようなバラ紙幣の量よりも少ない量や、金種別バラ紙幣収納部３４がフル状態となるようなバラ紙幣の量が所定量として設定されるようになっていてもよい。
【００７７】
より詳細に説明すると、本実施の形態による貨幣入出金機１を設置するときや貨幣入出金機１のメンテナンス時に当該貨幣入出金機１の運用の切り替えを行うときに、管理者等によって操作表示部３０２により上記の第１処理モードおよび第２処理モードのうちどちらの処理モードを行うかを設定することができるようになっており、処理モード選択手段３２０は、管理者等によって操作表示部３０２により設定された内容に基づいて、第１処理モードおよび第２処理モードのうちいずれかの処理モードを選択するようになっている。なお、処理モード選択手段３２０による処理モードの選択方法は上記の方法に限定されることはない。処理モード選択手段３２０による処理モードの選択方法の他の例として、処理モード選択手段３２０は、日時情報取得部３２２により取得された現在の日時に関する情報に基づいて第１処理モードおよび第２処理モードのうちいずれかの処理モードを選択するようになっていてもよい。また、処理モード選択手段３２０は、筐体１２、１１２の前に次の操作者が存在することが操作者検知手段３２４により検知されると第１処理モードを選択し、筐体１２、１１２の前に次の操作者が存在することが操作者検知手段３２４により検知されない場合には第２処理モードを選択するようになっていてもよい。
【００７８】
処理モード選択手段３２０により第１処理モードが選択されているときに入金一時保留部３０から各金種別バラ紙幣収納部３４にバラ紙幣を振り分けるときの動作について図１０に示すフローチャートを用いて説明する。
【００７９】
制御部３００においてバラ紙幣の入金処理が確定されると、入金一時保留部３０の内部に一時的に保留されているバラ紙幣が紙幣繰出繰入部３０ｂにより搬送部１８に繰り出される。そして、入金一時保留部３０から搬送部１８に繰り出されたバラ紙幣は識別部２０を送られることによりその金種等が識別される（ＳＴＥＰ２１）。その後、識別部２０により正常な紙幣であると識別されたバラ紙幣のうち（ＳＴＥＰ２２の「ＹＥＳ」）、当該バラ紙幣の金種に対応する金種別バラ紙幣収納部３４の収納量が所定量に達していないバラ紙幣については（ＳＴＥＰ２３の「ＮＯ」）、搬送部１８により当該バラ紙幣の金種に対応する金種別バラ紙幣収納部３４に送られ、この金種別バラ紙幣収納部３４に収納される（ＳＴＥＰ２５）。なお、金種別バラ紙幣収納部３４に割り当てられていない金種のバラ紙幣は混合バラ紙幣収納部３２に送られ、この混合バラ紙幣収納部３２に収納される。また、識別部２０により正常な紙幣ではないと識別されたバラ紙幣（例えば、搬送異常（具体的には、重送、斜行等）であると識別されたバラ紙幣）や正常な紙幣であるが出金用に使用できないバラ紙幣は（ＳＴＥＰ２２の「ＮＯ」）、搬送部１８により混合バラ紙幣収納部３２に送られ、この混合バラ紙幣収納部３２に収納される（ＳＴＥＰ２４）。また、識別部２０により正常な紙幣であると識別されたが（ＳＴＥＰ２２の「ＹＥＳ」）、当該バラ紙幣の金種に対応する金種別バラ紙幣収納部３４の収納量が所定量に達しているようなバラ紙幣については（ＳＴＥＰ２３の「ＹＥＳ」）、オーバーフロー紙幣として搬送部１８により混合バラ紙幣収納部３２に送られ、この混合バラ紙幣収納部３２に収納される（ＳＴＥＰ２４）。なお、混合バラ紙幣収納部３２におけるバラ紙幣の収納量が所定量に達した場合には、この情報が操作表示部３０２に表示されるとともに混合バラ紙幣収納部３２からバラ紙幣を取り出すことを操作者に促す旨のガイダンスが操作表示部３０２に表示されるようになる。この場合には、操作者は引出ユニット１３を筐体１２の内部から手前側に引き出して混合バラ紙幣収納部３２からバラ紙幣を手動で取り出すことにより、混合バラ紙幣収納部３２におけるバラ紙幣の収納スペースに空きを作ることができるようになる。そして、入金一時保留部３０からバラ紙幣が全て繰り出され、混合バラ紙幣収納部３２または各金種別バラ紙幣収納部３４に送られると（ＳＴＥＰ２６の「ＮＯ」）、入金一時保留部３０から各金種別バラ紙幣収納部３４へのバラ紙幣の振り分け動作が完了する。
【００８０】
処理モード選択手段３２０により第１処理モードが選択されているときには、識別部２０により識別されたバラ紙幣の金種に対応する金種別バラ紙幣収納部３４の収納量が所定量に達している場合には当該バラ紙幣は混合バラ紙幣収納部３２に送られるようになる。この場合には、金種別バラ紙幣収納部３４からバラ紙幣を搬送部１８に繰り出して整理一時保留部４０に送ることによって帯封部４２により帯封紙幣を作成する場合と比較して、入金一時保留部３０から各金種別バラ紙幣収納部３４へのバラ紙幣の振り分け動作にかかる時間を短縮することができ、よってバラ紙幣の入金処理を迅速に行うことができるようになる。なお、このような第１処理モードが選択されているときには、混合バラ紙幣収納部３２に送られたバラ紙幣を再利用することが難しいという欠点がある。なぜならば、混合バラ紙幣収納部３２には、対応する金種の金種別バラ紙幣収納部３４の収納量が所定量に達しているようなオーバーフロー紙幣以外にも、各金種別バラ紙幣収納部３４に対応していない金種のバラ紙幣や識別部２０により正常な紙幣ではないと識別されたバラ紙幣等が混合状態で収納されているため、必要とされる正常な紙幣のみを混合バラ紙幣収納部３２から取り出すことが難しいからである。
【００８１】
次に、処理モード選択手段３２０により第２処理モードが選択されているときに入金一時保留部３０から各金種別バラ紙幣収納部３４にバラ紙幣を振り分けるときの動作について図１１に示すフローチャートを用いて説明する。
【００８２】
制御部３００においてバラ紙幣の入金処理が確定されると、入金一時保留部３０の内部に一時的に保留されているバラ紙幣が紙幣繰出繰入部３０ｂにより搬送部１８に繰り出される。そして、入金一時保留部３０から搬送部１８に繰り出されたバラ紙幣は識別部２０を送られることによりその金種等が識別される（ＳＴＥＰ３１）。その後、識別部２０により正常な紙幣であると識別されたバラ紙幣のうち（ＳＴＥＰ３２の「ＹＥＳ」）、当該バラ紙幣の金種に対応する金種別バラ紙幣収納部３４の収納量が所定量に達していないバラ紙幣については（ＳＴＥＰ３３の「ＮＯ」）、搬送部１８により当該バラ紙幣の金種に対応する金種別バラ紙幣収納部３４に送られ、この金種別バラ紙幣収納部３４に収納される（ＳＴＥＰ３５）。また、金種別バラ紙幣収納部３４に割り当てられていない金種のバラ紙幣は混合バラ紙幣収納部３２に送られ、この混合バラ紙幣収納部３２に収納される。また、識別部２０により正常な紙幣ではないと識別されたバラ紙幣（例えば、搬送異常であると識別されたバラ紙幣）や正常な紙幣であるが出金用に使用できないバラ紙幣は（ＳＴＥＰ３２の「ＮＯ」）、搬送部１８により混合バラ紙幣収納部３２に送られ、この混合バラ紙幣収納部３２に収納される（ＳＴＥＰ３３）。また、識別部２０により正常な紙幣であると識別されたバラ紙幣の金種に対応する金種別バラ紙幣収納部３４の収納量が所定量に達している場合には（ＳＴＥＰ３４の「ＹＥＳ」）、当該バラ紙幣を対応する金種の金種別バラ紙幣収納部３４に送った後、入金一時保留部３０から搬送部１８へのバラ紙幣の繰り出し動作が中断され、収納量が所定量に達した金種別バラ紙幣収納部３４からバラ紙幣を整理一時保留部４０に送ることによって帯封部４２により帯封紙幣を作成する（ＳＴＥＰ３６）。帯封部４２により作成された帯封紙幣は各帯封紙幣収納部７０に金種毎に収納されるようになる。また、金種別バラ紙幣収納部３４からバラ紙幣を整理一時保留部４０に送ることによって帯封部４２により帯封紙幣を作成する動作が行われる際に、操作表示部３０２には金種別バラ紙幣収納部３４に収納されているバラ紙幣から帯封紙幣を作成する旨を示すメッセージ等が表示される。具体的には、図１３に示すように、操作表示部３０２には金種別バラ紙幣収納部３４に収納されているバラ紙幣から帯封紙幣を作成することを示す「自動収集中」というメッセージが表示されるようになる。
【００８３】
その後、バラ紙幣が繰り出された金種別バラ紙幣収納部３４におけるバラ紙幣の収納余裕量が入金一時保留部３０に保留されている当該金種のバラ紙幣の量よりも多くなると（ＳＴＥＰ３７の「ＹＥＳ」）、金種別バラ紙幣収納部３４からバラ紙幣を整理一時保留部４０に送ることによって帯封部４２により帯封紙幣を作成する動作が終了し、入金一時保留部３０から搬送部１８へのバラ紙幣の繰り出し動作が再開されるようになる。そして、入金一時保留部３０からバラ紙幣が全て繰り出され、混合バラ紙幣収納部３２または各金種別バラ紙幣収納部３４に送られると（ＳＴＥＰ３８の「ＮＯ」）、入金一時保留部３０から各金種別バラ紙幣収納部３４へのバラ紙幣の振り分け動作が完了する。
【００８４】
処理モード選択手段３２０により第２処理モードが選択されているときには、識別部２０により識別されたバラ紙幣の金種に対応する金種別バラ紙幣収納部３４の収納量が所定量に達している場合にはこの金種別バラ紙幣収納部３４からバラ紙幣を整理一時保留部４０に送ることによって帯封部４２により帯封紙幣を作成するため、当該金種別バラ紙幣収納部３４におけるバラ紙幣の収納スペースが空くようになり、バラ紙幣を混合バラ紙幣収納部３２にオーバーフロー紙幣として送る必要がなくなる。このため、入金一時保留部３０に保留されているバラ紙幣を全て各金種別バラ紙幣収納部３４に振り分けることができるようになり、このような各金種別バラ紙幣収納部３４に収納されているバラ紙幣を例えば出金処理等で再利用することができるようになる。なお、このような第２処理モードが選択されているときには、識別部２０により識別されたバラ紙幣の金種に対応する金種別バラ紙幣収納部３４の収納量が所定量に達しているときに当該バラ紙幣を混合バラ紙幣収納部３２にオーバーフロー紙幣として送るような場合と比較して入金一時保留部３０から各金種別バラ紙幣収納部３４へのバラ紙幣の振り分け動作に時間がかかってしまうという欠点がある。
【００８５】
このように、上記の第１処理モードおよび第２処理モードにはそれぞれ長所および短所があるが、本実施の形態ではこのような長所および短所を鑑みて第１処理モードおよび第２処理モードのうちどちらの処理モードを行うかを処理モード選択手段３２０により選択することができるため、バラ紙幣の迅速な処理を行うかまたは金種別バラ紙幣収納部３４に収納されているバラ紙幣の有効活用を図るかについて操作者あるいは管理者のニーズに合わせて選択することにより、ニーズ毎に柔軟な運用を行うことができる。
【００８６】
具体的には、管理者等によって操作表示部３０２により設定された内容に基づいて処理モード選択手段３２０が第１処理モードおよび第２処理モードのうちいずれかの処理モードを選択するようになっている場合には、バラ紙幣の迅速な処理を行いたい場合には管理者等は操作表示部３０２により第１処理モードを選択し、一方、金種別バラ紙幣収納部３４に収納されているバラ紙幣の有効活用を図りたい場合には管理者等は操作表示部３０２により第２処理モードを選択するようになる。
【００８７】
また、日時情報取得部３２２により取得された現在の日時に関する情報に基づいて処理モード選択手段３２０が第１処理モードおよび第２処理モードのうちいずれかの処理モードを選択する場合には、例えば金融機関の営業時間における繁忙期の時間帯には第１処理モードが割り当てられるとともに閑散期の時間帯には第２処理モードが割り当てられる。このような第１処理モードが行われる時間帯および第２処理モードが行われる時間帯はそれぞれ記憶部３０６に事前に記憶されるようになる。このことにより、日時情報取得部３２２により取得された現在の日時が繁忙期の時間帯であるときには処理モード選択手段３２０により第１処理モードが選択され、一方、日時情報取得部３２２により取得された現在の日時が閑散期の時間帯であるときには処理モード選択手段３２０により第２処理モードが選択されるようになる。
【００８８】
また、筐体１２、１１２の前に次の操作者が存在することが操作者検知手段３２４により検知されたか否かに基づいて処理モード選択手段３２０が第１処理モードおよび第２処理モードのうちいずれかの処理モードを選択する場合には、筐体１２、１１２の前に次の操作者が存在することが操作者検知手段３２４により検知された場合には処理モード選択手段３２０により第１処理モードが選択され、一方、筐体１２、１１２の前に次の操作者が存在することが操作者検知手段３２４により検知されない場合には処理モード選択手段３２０により第２処理モードが選択される。筐体１２、１１２の前に次の操作者が存在することが操作者検知手段３２４により検知された場合には、次の操作者を長い間待たせることのないようバラ紙幣の迅速な処理を行う必要がある。一方、筐体１２、１１２の前に次の操作者が存在することが操作者検知手段３２４により検知されない場合には、バラ紙幣の処理に時間がかかっても特段の問題はないため、第２処理モードを選択することにより金種別バラ紙幣収納部３４に収納されているバラ紙幣の有効活用を図ることができるようになる。
【００８９】
次に、本実施の形態による貨幣入出金機１の硬貨入出金装置１１０においてバラ硬貨の入金処理が行われる際の動作について説明する。
【００９０】
硬貨入出金装置１１０においてバラ硬貨の入金処理を行うにあたり、操作者が硬貨投入口１２１に１または複数のバラ硬貨を投入し、操作表示部３０２によりバラ硬貨の入金処理開始の指令を制御部３００に与えると、硬貨投入口１２１に投入されたバラ硬貨は１枚ずつ入金繰出部１２０から入金搬送部１２８に繰り出され、この繰り出されたバラ硬貨は入金搬送部１２８により搬送される。また、入金搬送部１２８により搬送されるバラ硬貨は入金識別部１２９によりその金種、真偽、表裏、正損、新旧、搬送状態等の識別が行われる。ここで、入金識別部１２９により正常な硬貨ではないと識別されたバラ硬貨や入金識別部１２９により識別することができなかったバラ硬貨はリジェクト硬貨としてリジェクト選別部１３０により選別され、このリジェクト選別部１３０の分岐孔に送り込まれたバラ硬貨は入金リジェクト用シュート１３１を介して入金リジェクト部１３８に送られる。上述したように、操作者は筐体１１２の前面から入金リジェクト部１３８の内部にアクセス可能となっており、入金リジェクト部１３８に送られたリジェクト硬貨としてのバラ硬貨を操作者は筐体１１２の前面から取り出して硬貨投入口１２１に再投入等することができるようになる。一方、入金識別部１２９により正常な硬貨であると識別されたバラ硬貨は各金種別選別部１３６により金種毎に選別され、各金種別選別部１３６の分岐孔に送り込まれたバラ硬貨は入金一時保留部１４０における金種別一時保留部１４４の各保留領域１４４ａ〜１４４ｆに金種別に一時的に保留されるようになる。硬貨投入口１２１に投入されたバラ硬貨を筐体１１２の内部に繰り出して入金識別部１２９により識別させた後に金種別一時保留部１４４または入金リジェクト部１３８に送る動作は、入金繰出部１２０から金種別一時保留部１４４または入金リジェクト部１３８に全てのバラ硬貨が送られるまで行われる。
【００９１】
また、操作メニュー画面から入金処理が選択されると、操作表示部３０２には入金されるべきバラ硬貨の金種毎の枚数や合計金額等を入力する画面が表示される。そして、上述したバラ硬貨の繰出動作や識別処理が行われて硬貨投入口１２１に投入されたバラ硬貨が全て金種別一時保留部１４４または入金リジェクト部１３８に送られることにより入金繰出部１２０にバラ硬貨が存在しなくなったときに、操作者が操作表示部３０２の入力画面において入金されるべきバラ硬貨の金種毎の枚数や合計金額等を入力した後に「完了」ボタンを押下すると、入金識別部１２９による識別結果に基づくバラ硬貨の計数結果におけるバラ硬貨の金種毎の枚数や合計金額と、操作者によって操作表示部３０２により入力された結果におけるバラ硬貨の金種毎の枚数や合計金額とが等しい場合には、制御部３００においてバラ硬貨の入金処理が確定されるようになる。また、バラ硬貨の入金処理が確定されると、入金されたバラ硬貨の明細書が印字部３０４により発行されるようになる。なお、別の例として、入金識別部１２９による識別結果に基づくバラ硬貨の計数結果におけるバラ硬貨の金種毎の枚数や合計金額と、操作者によって操作表示部３０２により入力された結果におけるバラ硬貨の金種毎の枚数や合計金額とが等しい場合に、入金確定を操作者に求める画面が操作表示部３０２に表示され、このような入金確定を操作者に求める画面が操作表示部３０２に表示されているときに、操作者が操作表示部３０２により入金確定の指令を制御部３００に与えると制御部３００においてバラ硬貨の入金処理が確定されるようになっていてもよい。また、入金識別部１２９による識別結果に基づくバラ硬貨の計数結果におけるバラ硬貨の金種毎の枚数や合計金額と、操作者によって操作表示部３０２により入力された結果におけるバラ硬貨の金種毎の枚数や合計金額とが等しくない場合には、バラ硬貨の計数結果と入力結果が一致しない旨のエラーメッセージが操作表示部３０２に表示されるようになる。
【００９２】
制御部３００においてバラ硬貨の入金処理が確定されると、入金一時保留部１４０において金種別一時保留部１４４が第１駆動機構１４５により第１位置から第２位置に移動させられ、金種別一時保留部１４４の各保留領域１４４ａ〜１４４ｆの底部に設けられた開口が開くことにより各保留領域１４４ａ〜１４４ｆからバラ硬貨が自重により落下して各収納繰出部１５２の収納領域１５２ａ〜１５２ｆに金種毎に送られ、各収納領域１５２ａ〜１５２ｆに金種毎に収納されるようになる。
【００９３】
また、硬貨投入口１２１に投入されたバラ硬貨が全て金種別一時保留部１４４または入金リジェクト部１３８に送られることにより入金繰出部１２０にバラ硬貨が存在しなくなったときに、操作者が操作表示部３０２により返却の指令を入力すると、入金一時保留部１４０において底部材１４６が第２駆動機構１４７により第１位置から第２位置に移動させられ、金種別一時保留部１４４の各保留領域１４４ａ〜１４４ｆの底部に設けられた開口が開くことにより各保留領域１４４ａ〜１４４ｆからバラ硬貨が自重により落下して排出部１５０の返却箱１５０ａに送られ、この返却箱１５０ａに金種混合状態で集積されるようになる。そして、操作者は筐体１１２の前面から返却箱１５０ａを手前側に引き出すことにより、返却されたバラ硬貨を返却箱１５０ａから筐体１１２の外部に取り出すことができるようになる。
【００９４】
また、本実施の形態では、入金搬送部１２８により搬送されるバラ硬貨を入金識別部１２９により識別した後に各金種別選別部１３６により金種毎に選別して入金一時保留部１４０における金種別一時保留部１４４の各保留領域１４４ａ〜１４４ｆに金種別に振り分ける際に、ある金種の収納繰出部１５２が例えばニアフル状態でありこの収納繰出部１５２にバラ硬貨をこれ以上収納することができない場合には、入金繰出部１２０から入金搬送部１２８に繰り出されたバラ硬貨のうちニアフル状態となっている収納繰出部１５２の金種に対応するバラ硬貨を任意選別部１３４により選別して任意一時保留部１４２を経てバラ硬貨一括収納箱１９８に送るか（第１処理モード）、あるいは入金繰出部１２０から入金搬送部１２８へのバラ硬貨の繰り出し動作および入金搬送部１２８によるバラ硬貨の搬送動作を中断し、ニアフル状態となっている収納繰出部１５２からバラ硬貨を繰り出してコンベア１５４により包装部１６０に送り、この包装部１６０に集積された所定枚数のバラ硬貨から包装部１６０により包装硬貨を作成するような動作が行われる（第２処理モード）ようになっている。このような動作の詳細について以下に説明する。
【００９５】
本実施の形態では、上述した処理モード選択手段３２０により第１処理モードが選択されている場合には、ある収納繰出部１５２におけるバラ硬貨の収納量が所定量（例えば、収納繰出部１５２がニアフル状態となるようなバラ硬貨の量）に達したときに、入金繰出部１２０から入金搬送部１２８に繰り出されたバラ硬貨のうち当該収納繰出部１５２に対応する金種のバラ硬貨を任意選別部１３４により選別して任意一時保留部１４２を経てバラ硬貨一括収納箱１９８に送るようになっている。一方、上述した処理モード選択手段３２０により第２処理モードが選択されている場合には、ある収納繰出部１５２におけるバラ硬貨の収納量が所定量に達したときに、この収納繰出部１５２からバラ硬貨を包装部１６０に送ることによって当該包装部１６０で包装硬貨を作成するようになっている。制御部３００は、処理モード選択手段３２０により選択された処理モードに基づいて硬貨入出金装置１１０の各構成部材を制御するようになっている。より詳細には、制御部３００は、入金繰出部１２０からバラ硬貨を入金搬送部１２８に繰り出して当該入金搬送部１２８から入金一時保留部１４０における金種別一時保留部１４４の各保留領域１４４ａ〜１４４ｆに金種別に振り分ける際に、ある収納繰出部１５２におけるバラ硬貨の収納量が所定量に達したときに、処理モード選択手段３２０により選択された処理モードに基づいて硬貨入出金装置１１０の各構成部材を制御するようになっている。なお、第１処理モードまたは第２処理モードが行われる基準となる収納繰出部１５２におけるバラ硬貨の所定量は、当該収納繰出部１５２がニアフル状態となるようなバラ硬貨の量に限定されることはなく、収納繰出部１５２がニアフル状態となるようなバラ硬貨の量よりも少ない量や、収納繰出部１５２がフル状態となるようなバラ硬貨の量が所定量として設定されるようになっていてもよい。
【００９６】
また、処理モード選択手段３２０により第２処理モードが選択されている場合において、バラ硬貨の収納量が所定量に達した収納繰出部１５２からバラ硬貨を包装部１６０に送ることによって当該包装部１６０で包装硬貨を作成することにより、当該収納繰出部１５２に収納可能なバラ硬貨の量である収納余裕量が、入金繰出部１２０や入金搬送部１２８に残留している当該収納繰出部１５２に対応する金種のバラ硬貨の量よりも多くなると、収納繰出部１５２からバラ硬貨を包装部１６０に送る動作を停止させ、入金繰出部１２０から入金搬送部１２８にバラ硬貨を繰り出して金種別一時保留部１４４の各保留領域１４４ａ〜１４４ｆに金種別に振り分ける動作を再開させるようになっている。
【００９７】
また、別の例として、処理モード選択手段３２０により第２処理モードが選択されている場合において、バラ硬貨の収納量が所定量に達した収納繰出部１５２からバラ硬貨を包装部１６０に送ることによって当該包装部１６０で包装硬貨を作成する動作と、入金繰出部１２０から入金搬送部１２８にバラ硬貨を繰り出して金種別一時保留部１４４の各保留領域１４４ａ〜１４４ｆに金種別に振り分ける動作とが並行して行われるようになっていてもよい。
【００９８】
処理モード選択手段３２０により第１処理モードが選択されている場合には、入金搬送部１２８により搬送されるバラ硬貨が入金識別部１２９により識別されたときに、当該バラ硬貨の金種に対応する収納繰出部１５２の収納量が所定量に達している場合には当該バラ硬貨はバラ硬貨一括収納箱１９８に送られるようになる。この場合には、バラ硬貨の収納量が所定量に達している収納繰出部１５２からバラ硬貨を繰り出してコンベア１５４により包装部１６０に送ることによってこの包装部１６０において包装硬貨を作成する場合と比較して、入金搬送部１２８から金種別一時保留部１４４の各保留領域１４４ａ〜１４４ｆへのバラ硬貨の振り分け動作にかかる時間を短縮することができ、よってバラ硬貨の入金処理を迅速に行うことができるようになる。
【００９９】
また、処理モード選択手段３２０により第２処理モードが選択されているときには、入金搬送部１２８により搬送されるバラ硬貨が入金識別部１２９により識別されたときに、当該バラ硬貨の金種に対応する収納繰出部１５２の収納量が所定量に達している場合には、入金繰出部１２０から入金搬送部１２８へのバラ硬貨の繰り出し動作および入金搬送部１２８によるバラ硬貨の搬送動作を中断し、バラ硬貨の収納量が所定量に達している収納繰出部１５２からバラ硬貨を繰り出してコンベア１５４により包装部１６０に送り、この包装部１６０に集積された所定枚数のバラ硬貨から包装機構１６８により包装硬貨を作成する。このことにより、収納繰出部１５２におけるバラ硬貨の収納スペースが空くようになり、バラ硬貨をバラ硬貨一括収納箱１９８に送る必要がなくなる。このため、入金繰出部１２０から入金搬送部１２８に繰り出されたバラ硬貨を全て金種別一時保留部１４４の各保留領域１４４ａ〜１４４ｆに振り分けることができるようになり、金種別一時保留部１４４の各保留領域１４４ａ〜１４４ｆから各収納繰出部１５２にバラ硬貨を送ることにより各収納繰出部１５２に収納されているバラ硬貨を例えば出金処理等で再利用することができるようになる。
【０１００】
このように、本実施の形態ではバラ硬貨の入金処理についても第１処理モードおよび第２処理モードのうちどちらの処理モードを行うかを選択することができるため、バラ硬貨の迅速な処理を行うかまたは収納繰出部１５２に収納されているバラ硬貨の有効活用を図るかについて操作者のニーズに合わせて選択することにより、操作者のニーズ毎に柔軟な運用を行うことができる。
【０１０１】
以上のような構成からなる本実施の形態の貨幣入出金機１によれば、複数のバラ貨幣から包装貨幣を作成する包装貨幣作成部、搬送部（具体的には、搬送部１８や入金搬送部１２８）から送られたバラ貨幣を種類毎に（具体的には、例えば金種毎に）収納する複数の種類別バラ貨幣収納部、および搬送部から送られた複数の種類のバラ貨幣を混合状態で収納する混合バラ貨幣収納部がそれぞれ設けられており、処理モード選択手段３２０は、ある種類別バラ貨幣収納部におけるバラ貨幣の収納量が所定量に達したときに、当該種類別バラ貨幣収納部に対応する種類のバラ貨幣を混合バラ貨幣収納部に送る第１処理モード、および、ある種類別バラ貨幣収納部におけるバラ貨幣の収納量が所定量に達したときに、当該種類別バラ貨幣収納部からバラ貨幣を包装貨幣作成部に送って当該包装貨幣作成部で包装貨幣を作成する第２処理モードのうちいずれかの処理モードを選択するようになっている。また、制御部３００は、処理モード選択手段３２０により選択された処理モードに基づいて貨幣入出金機１の各構成部材を制御するようになっている。ここで、特許請求の範囲における「包装貨幣」は、帯封紙幣および包装硬貨の両方を含む概念のものであり、「包装貨幣作成部」は、帯封部４２および包装部１６０の両方を含む概念のものとなっている。また、特許請求の範囲における「種類別バラ貨幣収納部」は、紙幣入出金装置１０では金種別バラ紙幣収納部３４に対応し、硬貨入出金装置１１０では収納繰出部１５２に対応している。また、特許請求の範囲における「混合バラ貨幣収納部」は、紙幣入出金装置１０では混合バラ紙幣収納部３２に対応し、硬貨入出金装置１１０ではバラ硬貨一括収納箱１９８に対応している。このような技術的特徴によれば、バラ貨幣の迅速な処理を行いたい場合には処理モード選択手段３２０により第１処理モードを選択し、種類別バラ貨幣収納部に収納されているバラ貨幣の有効活用を図りたい場合には処理モード選択手段３２０により第２処理モードを選択することにより、操作者のニーズ毎に柔軟な運用を行うことができる。
【０１０２】
また、本実施の形態の貨幣入出金機１の紙幣入出金装置１０においては、投入部１４により筐体１２の内部に投入された、混合バラ紙幣収納部３２または各金種別バラ紙幣収納部３４に収納される前のバラ紙幣を保留するための入金一時保留部３０が設けられており、制御部３００は、入金一時保留部３０からバラ紙幣を繰り出して各金種別バラ紙幣収納部３４に振り分ける際に、ある金種別バラ紙幣収納部３４におけるバラ紙幣の収納量が所定量に達したときに、処理モード選択手段３２０により選択された処理モードに基づいて紙幣入出金装置１０の各構成部材を制御するようになっている。
【０１０３】
また、この場合には、制御部３００は、処理モード選択手段３２０により第２処理モードが選択されている場合において、金種別バラ紙幣収納部３４からバラ紙幣を帯封部４２に送ることによって当該帯封部４２で帯封紙幣を作成することにより、この金種別バラ紙幣収納部３４に収納可能なバラ紙幣の量である収納余裕量が、入金一時保留部３０に保留されている当該金種別バラ紙幣収納部３４に対応する金種のバラ紙幣の量よりも多くなると（ＳＴＥＰ３７の「ＹＥＳ」）、金種別バラ紙幣収納部３４からバラ紙幣を帯封部４２に送る動作を停止させ、入金一時保留部３０からバラ紙幣を繰り出して各金種別バラ紙幣収納部３４に振り分けるよう紙幣入出金装置１０の各構成部材を制御するようになっている。
【０１０４】
また、本実施の形態の貨幣入出金機１においては、操作者が制御部３００に指令を入力するための入力手段として例えば操作表示部３０２が設けられており、処理モード選択手段３２０は、操作表示部３０２により入力された指令に基づいて第１処理モードおよび第２処理モードのうちいずれかの処理モードを選択するようになっていてもよい。なお、操作者が制御部３００に指令を入力するための入力手段は操作表示部３０２に限定されることはない。例えば操作者が上位端末等の外部装置３１０を用いて第１処理モードおよび第２処理モードのうちどちらの処理モードを行うかを選択した場合には、外部装置３１０から通信インターフェース部３０８を介して制御部３００に指令が送信されることにより処理モード選択手段３２０は第１処理モードおよび第２処理モードのうちいずれかの処理モードを選択するようになる。この場合には通信インターフェース部３０８が入力手段として機能するようになる。
【０１０５】
また、本実施の形態の貨幣入出金機１においては、現在の日時に関する情報を取得する日時情報取得部３２２が設けられており、処理モード選択手段３２０は、日時情報取得部３２２により取得された現在の日時に関する情報に基づいて第１処理モードおよび第２処理モードのうちいずれかの処理モードを選択するようになっていてもよい。この場合には、例えば金融機関の営業時間における繁忙期の時間帯に第１処理モードを割り当てるとともに閑散期の時間帯に第２処理モードを割り当てることにより、バラ貨幣の迅速な処理を行う必要があるような繁忙期の時間帯には処理モード選択手段３２０により第１処理モードが選択され、一方、バラ貨幣の迅速な処理を行う必要がなく、むしろ種類別バラ貨幣収納部（具体的には、各金種別バラ紙幣収納部３４や各収納繰出部１５２）に収納されているバラ貨幣の有効活用を図るような閑散期の時間帯には処理モード選択手段３２０により第２処理モードが選択されるようになる。
【０１０６】
また、本実施の形態の貨幣入出金機１においては、筐体１２、１１２の前に次の操作者が存在するか否かを検知する操作者検知手段３２４が設けられており、処理モード選択手段３２０は、筐体１２、１１２の前に次の操作者が存在することが操作者検知手段３２４により検知されると第１処理モードを選択し、筐体１２、１１２の前に次の操作者が存在しないことが操作者検知手段３２４により検知されると第２処理モードを選択するようになっていてもよい。筐体１２、１１２の前に次の操作者が存在することが操作者検知手段３２４により検知された場合には、次の操作者を長い間待たせることのないようバラ貨幣の迅速な処理を行う必要がある一方、筐体１２、１１２の前に次の操作者が存在することが操作者検知手段３２４により検知されない場合には、バラ貨幣の処理に時間がかかっても特段の問題はないため、第２処理モードを選択することにより種類別バラ貨幣収納部（具体的には、各金種別バラ紙幣収納部３４や各収納繰出部１５２）に収納されているバラ貨幣の有効活用を図ることができるからである。
【０１０７】
なお、本実施の形態による貨幣入出金機１やこのような貨幣入出金機１による貨幣処理方法は、上述したような態様に限定されることはなく、様々な変更を加えることができる。
【０１０８】
例えば、本発明に係る貨幣処理装置は、紙幣入出金装置１０および硬貨入出金装置１１０を組み合わせた貨幣入出金機１に限定されることはない。本発明に係る貨幣処理装置として、紙幣入出金装置１０が単体で用いられてもよく、あるいは硬貨入出金装置１１０が単体で用いられてもよい。
【０１０９】
また、上述した貨幣入出金機１および上位端末等の外部装置３１０を組み合わせることにより本発明に係る貨幣処理システムが構成されるようになっていてもよい。この場合には、上位端末等の外部装置３１０は、貨幣入出金機１の管理を行う管理装置として機能するようになる。また、上記の説明では、処理モード選択手段３２０により第１処理モードおよび第２処理モードのうちいずれかの処理モードが選択され、制御部３００は処理モード選択手段３２０により選択された処理モードに基づいて紙幣入出金装置１０や硬貨入出金装置１１０の各構成部材を制御する態様について述べたが、本発明に係る貨幣処理システムでは、処理モード選択手段３２０が貨幣入出金機１ではなく外部装置３１０に設けられていてもよく、また、制御部３００が紙幣入出金装置１０や硬貨入出金装置１１０の各構成部材を制御する代わりに管理装置としての外部装置３１０から貨幣入出金機１の各構成部材に指令が直接送られることによりこのような動作が行われるようになっていてもよい。すなわち、第１処理モードおよび第２処理モードのうちいずれかの処理モードを選択する処理モード選択手段３２０、および処理モード選択手段３２０により選択された処理モードに基づいて紙幣入出金装置１０や硬貨入出金装置１１０の各構成部材を制御する制御部のうち少なくともいずれか一方あるいは両方が上位端末等の外部装置３１０に設けられていてもよい。
【０１１０】
また、所定の操作者に対して所定の端末（例えば、携帯電話やスマートフォン、タブレット端末等）が予め割り当てられており、操作者は第１処理モードおよび第２処理モードのうちどちらの処理モードを行うかをこのような端末により入力することができるようになっていてもよい。この場合には、処理モード選択手段３２０は、操作者が所持する端末から送信された情報に基づいて第１処理モードおよび第２処理モードのうちいずれかの処理モードを選択するようになる。また、紙幣入出金装置１０において第１処理モードが行われる際に混合バラ紙幣収納部３２におけるバラ紙幣の収納量が所定量に達すると、操作者が所持する端末にこの情報が表示されるとともに混合バラ紙幣収納部３２からバラ紙幣を取り出すことを操作者に促す旨のガイダンスが当該端末に表示されるようになっていてもよい。
【０１１１】
また、本実施の形態による貨幣入出金機１の紙幣入出金装置１０において、混合バラ紙幣収納部３２は、当該混合バラ紙幣収納部３２に収納されているバラ紙幣を搬送部１８に繰り出すことができないような構成となっていてもよい。すなわち、例えば混合バラ紙幣収納部３２において紙幣繰出繰入部３２ｂの設置が省略されていてもよい。この場合には、混合バラ紙幣収納部３２に収納されているバラ紙幣を出金処理等で再利用することができず、混合バラ紙幣収納部３２に収納されているバラ紙幣については操作者が引出ユニット１３を筐体１２の内部から手前側に引き出して手作業で当該混合バラ紙幣収納部３２から取り出さなければならなくなる。この場合には、入金一時保留部３０から各金種別バラ紙幣収納部３４にバラ紙幣を振り分ける際に正常なバラ紙幣をできるだけ混合バラ紙幣収納部３２に送らないようにするために、処理モード選択手段３２０により第２処理モードを選択することが好ましい。しかしながら、バラ紙幣の迅速な入金処理を行う必要が生じた場合には、例外的に処理モード選択手段３２０により第１処理モードを選択するようにする。このように、混合バラ紙幣収納部３２に収納されているバラ紙幣を搬送部１８に繰り出すことができないようになっている場合には、混合バラ紙幣収納部３２にバラ紙幣が送られてしまうとこのバラ紙幣を有効活用することができないため第２処理モードの重要性が高まり、よって処理モード選択手段３２０により第１処理モードおよび第２処理モードのうちいずれかの処理モードを選択することにより操作者のニーズ毎に柔軟な運用を行うことができるという本発明の作用効果がより顕著なものとなる。
【０１１２】
また、本実施の形態による貨幣入出金機１の紙幣入出金装置１０において、処理モード選択手段３２０により第２処理モードが選択されている場合に、バラ紙幣の収納量が所定量に達した金種別バラ紙幣収納部３４からバラ紙幣を整理一時保留部４０に送って帯封部４２により帯封紙幣を作成する動作を行っている最中に、新規のバラ紙幣の入金処理を行うことができるようになっていてもよい。すなわち、搬送部１８は、金種別バラ紙幣収納部３４から整理一時保留部４０にバラ紙幣を送る動作と、投入部１４から識別部２０を経て入金一時保留部３０にバラ紙幣を送る動作とを並行して行うことができるような構成となっていてもよい。この場合には、バラ紙幣の収納量が所定量に達した金種別バラ紙幣収納部３４からバラ紙幣を整理一時保留部４０に送って帯封部４２により帯封紙幣を作成する動作を行っている最中に新規のバラ紙幣の入金処理を行うことができるため、帯封部４２により帯封紙幣を作成する時間を有効活用することができるようになる。
【０１１３】
また、変形例に係る紙幣入出金装置や硬貨入出金装置において、金種別にバラ紙幣やバラ硬貨を収納する複数の金種別バラ貨幣収納部が設けられる代わりに、バラ紙幣やバラ硬貨を種類別に収納する種類別バラ貨幣収納部が設けられていてもよい。この場合には、混合バラ貨幣収納部は、複数の種類のバラ貨幣を混合状態で収納するようになる。より詳細に説明すると、バラ貨幣の新旧の何れか、正損の何れか、向き、あるいはこれらの要素を組み合わせたものをバラ貨幣の各々の種類とする。具体的には、例えばある種類別バラ貨幣収納部には新券のバラ紙幣を収納させるとともに別の種類別バラ貨幣収納部には旧券のバラ紙幣を収納させる。このような複数の種類別バラ貨幣収納部が設けられている紙幣入出金装置や硬貨入出金装置でも本発明の原理を適用することができる。すなわち、処理モード選択手段は、ある種類別バラ貨幣収納部におけるバラ貨幣の収納量が所定量に達したときに、当該種類別バラ貨幣収納部に対応する種類のバラ貨幣を混合バラ貨幣収納部に送る第１処理モード、および、ある種類別バラ貨幣収納部におけるバラ貨幣の収納量が所定量に達したときに、当該種類別バラ貨幣収納部からバラ貨幣を包装貨幣作成部に送って当該包装貨幣作成部で包装貨幣を作成する第２処理モードのうちいずれかの処理モードを選択し、制御部は、処理モード選択手段により選択された処理モードに基づいて紙幣入出金装置や硬貨入出金装置の各構成部材を制御するようになる。
【符号の説明】
【０１１４】
１        貨幣入出金機
１０      紙幣入出金装置
１２      筐体
１２ａ    下部扉
１３      引出ユニット
１４      投入部
１６      繰出部
１８      搬送部
２０      識別部
２２      表裏反転部
２４      バラ紙幣投出部
２４ａ    シャッター
２４ｂ    シャッター駆動部
２６      出金リジェクト部
３０      入金一時保留部
３０ａ    ステージ
３０ｂ    紙幣繰出繰入部
３２      混合バラ紙幣収納部
３２ａ    ステージ
３２ｂ    紙幣繰出繰入部
３４      金種別バラ紙幣収納部
３４ａ    ステージ
３４ｂ    紙幣繰出繰入部
４０      整理一時保留部
４２      帯封部
４４      アーム機構
４６      帯封紙幣揚送部
４６ａ    ステージ
４８      帯封紙幣投出部
４８ａ    シャッター
４８ｂ    シャッター駆動部
５０      ロック機構
６０      帯封紙幣搬送部
６０ａ    突起
６０ｂ    循環ベルト
６２      判別部
７０      帯封紙幣収納部
７０ａ    ステージ
１１０    硬貨入出金装置
１１２    筐体
１１４、１１５  前扉
１２０    入金繰出部
１２１    硬貨投入口
１２２    供給円盤
１２４    回転円盤
１２６    繰出機構
１２８    入金搬送部
１２９    入金識別部
１３０    リジェクト選別部
１３１    入金リジェクト用シュート
１３４    任意選別部
１３６    金種別選別部
１３６ａ  ５円硬貨選別部
１３６ｂ  １円硬貨選別部
１３６ｃ  ５０円硬貨選別部
１３６ｄ  １００円硬貨選別部
１３６ｅ  １０円硬貨選別部
１３６ｆ  ５００円硬貨選別部
１３８    入金リジェクト部
１４０    入金一時保留部
１４２    任意一時保留部
１４４    金種別一時保留部
１４４ａ〜１４４ｆ  保留領域
１４５    第１駆動機構
１４６    底部材
１４７    第２駆動機構
１５０    排出部
１５０ａ  返却箱
１５２    収納繰出部
１５２ａ〜１５２ｆ  収納領域
１５２ｐ  硬貨繰出部
１５４    コンベア
１５５    出金識別部
１５６    出金リジェクト箱
１５７    包装用シュート
１５８    出金用シュート
１６０    包装部
１６２    回転円盤
１６３    コンベア
１６４    排出シュート
１６５    包装硬貨用シュート
１６７    横搬送部
１６８    包装機構
１６８ａ  包装ローラ
１６９    切換部材
１７０    シュート機構
１７２    上部シュート
１７４    貯留用シュート
１７４ａ  排出側開口
１７５    貯留袋
１７６    包装用シュート
１７８    分岐部材
１９０    出金箱
１９０ａ  取っ手
１９２    シャッタ部材
１９４    出金リジェクト用シュート
１９６    分岐部材
１９７    端数硬貨収納箱
１９８    バラ硬貨一括収納箱
２００    包装硬貨収納ユニット
２０４    ストッパ機構
２０４ａ  ストッパ部分
２１０    包装硬貨搬送ユニット
２１２    プーリ
２１４    循環ベルト
２１６    突起
２１８、２１９、２２０  分岐部材
２３０    包装硬貨出金部
２３２    包装硬貨一括収納箱
２３６    包装硬貨投出部
２３８    包装硬貨投出用シュート
２４０    収納トレイ
２５０    ロック機構
３００    制御部
３０２    操作表示部
３０４    印字部
３０６    記憶部
３０８    通信インターフェース部
３１０    外部装置
３２０    処理モード選択手段
３２２    日時情報取得部
３２４    操作者検知手段
【図１】
2017117310.tif 000003
【図２】
2017117310.tif 000004
【図３】
2017117310.tif 000005
【図４】
2017117310.tif 000006
【図５】
2017117310.tif 000007
【図６】
2017117310.tif 000008
【図７】
2017117310.tif 000009
【図８】
2017117310.tif 000010
【図９】
2017117310.tif 000011
【図１０】
2017117310.tif 000012
【図１１】
2017117310.tif 000013
【図１２】
2017117310.tif 000014
【図１３】
2017117310.tif 000015